(57)【特許請求の範囲】
【請求項１】
居室空間（ＬＳ２，ＬＳ３）を構成する複数の単位空間（２１５ａ〜２１５ｊ）それぞれに対して異なる運転設定が可能な設備機器（２ａ，２ｂ，２ｃ，・・・，３ａ，３ｂ，３ｃ，・・・）を制御する設備制御システム（１００，３００）であって、
発信器（４ａ，４ｂ，４ｃ，・・・）と、
前記発信器が前記居室空間内に存在している場合に前記発信器からの信号を受信可能な受信器（１０ａ，１０ｂ，１０ｃ・・・）と、
前記居室空間内を移動可能な移動可能体であって前記発信器を携帯している第１移動可能体の前記運転設定に関する嗜好を示す情報である第１嗜好情報と、前記第１移動可能体が前記複数の単位空間のうちどの単位空間内に存在しているのかを示す情報である第１位置情報とを、前記受信器により受信された前記発信器からの前記信号に基づいて導出する第１情報導出手段（１５１Ａ，３５１Ａ）と、
前記居室空間内に存在している前記移動可能体の総数を示す情報である総数情報を導出する第２情報導出手段（１５１Ｂ，３５１Ｂ）と、
前記第１嗜好情報、前記第１位置情報および前記総数情報に基づいて、前記設備機器を制御する設備制御手段（１５１Ｅ，３５１Ｅ）と、
を備え、
前記設備制御手段は、
前記第１位置情報に基づいて、前記第１移動可能体の数である第１数を算出し、前記第１数と前記総数情報とを比較することにより、前記居室空間内に前記第１移動可能体以外の前記移動可能体である第２移動可能体が存在しているか否かを判定する判定部と、
前記判定部において前記第２移動可能体が存在していないとの判定結果が出た場合には、前記第１嗜好情報および前記第１位置情報に基づいて、前記複数の単位空間それぞれに対する前記運転設定を行う第１処理を実行し、前記判定部において前記第２移動可能体が存在しているとの判定結果が出た場合には、前記第１嗜好情報および前記第１位置情報に基づいて、予め定められた前記運転設定の範囲内から前記第１移動可能体の前記運転設定に関する嗜好に最も近い前記運転設定を選択し、前記第１移動可能体が存在している前記単位空間に対する前記運転設定とする第２処理を実行する設定部と、
を有する、
設備制御システム。
【請求項２】
前記判定部において前記居室空間内に前記第２移動可能体が存在していると判定された場合には、前記第２移動可能体が前記複数の単位空間のうちどの単位空間内に存在しているのかを示す情報である第２位置情報を推定して導出する第３情報導出手段（１５１Ｃ，３５１Ｃ）、
をさらに備え、
前記設定部は、前記第１嗜好情報、前記第１位置情報および前記第２位置情報に基づいて、前記複数の単位空間のそれぞれに対して前記運転設定を行う、
請求項１に記載の設備制御システム。
【請求項３】
前記第３情報導出手段は、前記第２移動可能体が前記複数の単位空間のうち所定の単位空間内に存在しているものと推定して、前記第２位置情報を導出し、
前記設定部は、前記所定の単位空間内に存在している前記移動可能体の総数を考慮して、予め定められた前記運転設定の範囲内から前記所定の単位空間内に存在している前記第１移動可能体の前記運転設定に関する嗜好に近い前記運転設定を選択し、前記所定の単位空間に対する前記運転設定とする、
を有する、
請求項２に記載の設備制御システム。
【請求項４】
前記第２移動可能体の前記運転設定に関する嗜好を示す情報である第２嗜好情報を導出する第４情報導出手段（１５１Ｄ）、
をさらに備え、
前記設定部は、前記第１嗜好情報、前記第１位置情報、前記第２嗜好情報および前記第２位置情報に基づいて、前記複数の単位空間それぞれに対する前記運転設定を行う、
請求項２に記載の設備制御システム。
【請求項５】
前記第３情報導出手段は、前記第２移動可能体が前記複数の単位空間のうち所定の単位空間内に存在しているものと推定して、前記第２位置情報を導出する、
請求項４に記載の設備制御システム。
【請求項６】
前記第３情報導出手段は、前記第１移動可能体の行動パターンおよび前記第２移動可能体の行動パターンに基づいて、前記第２位置情報を推定して導出する、
請求項４に記載の設備制御システム。
【発明の詳細な説明】
【技術分野】
【０００１】
本発明は、居室空間を複数の単位空間に仮想分割して単位空間毎に空気調和装置や照明装置の制御を行う設備制御システムおよび設備制御装置に関する。
【背景技術】
【０００２】
過去に、「居室空間を複数の単位空間に仮想分割して単位空間毎に空調制御や照明制御を行う」という技術が提案されている。この技術を利用すれば、例えば、単位空間毎に空調負荷が異なる場合に単位空間毎の空調負荷に応じた適切な空気調和装置の制御を行うことができる（例えば、特許文献１参照）。したがって、一つの居室を均一に空調制御する場合よりも消費エネルギー量を低減することが可能となる。また、この技術を利用すれば、人が存在する単位空間に対応する空気調和装置や照明装置には通常運転を行わせ、人が存在しない単位空間に対応する空気調和装置や照明装置には省エネルギー運転を行わせることができる（例えば、特許文献２および３）。したがって、先と同様に、一つの居室を均一に空調制御する場合よりも消費エネルギー量を低減することが可能となる。
【特許文献１】特開平１０−２５３１２８号公報
【特許文献２】特開平１１−３０４２２１号公報
【特許文献３】特開２００４−１７８１２９号公報
【発明の開示】
【発明が解決しようとする課題】
【０００３】
しかし、上記の技術では居室空間に存在する人間の快適性は考慮されていない。本発明の課題は、居室空間を複数の単位空間に仮想分割して単位空間毎に空気調和装置や照明装置の制御を行う技術において、居室空間に存在する人間の快適性を高めることにある。
【課題を解決するための手段】
【０００４】
請求項１に係る設備制御システムは、発信器と、受信器と、第１情報導出手段と、第２情報導出手段と、設備制御手段とを備え、設備機器を制御する。なお、ここにいう「設備機器」とは、例えば、空気調和装置や照明装置などであり、この「設備機器」では、居室空間を構成する複数の単位空間それぞれに対して異なる運転設定が可能である。また、ここにいう「空気調和装置」とは、例えば、冷房装置、暖房装置、除湿器、加湿器、換気装置、および空気清浄装置などである。また、ここでいう「単位空間」とは、居室空間を壁等によって物理的に分割することにより規定されてもよいし、複数の移動体検知センサ（人検知センサなど）の検知範囲を調節することにより規定されてもよいし、カメラからの撮影画像を分割することによって規定されてもよいし、居室空間を座標化してその座標を分割することによって規定されてもよい。受信器は、発信器が居室空間内に存在している場合に発信器からの信号を受信可能である。第１情報導出手段は、受信器により受信された発信器からの信号に基づいて、第１嗜好情報と、第１位置情報とを導出する。なお、ここにいう「第１嗜好情報」とは、第１移動可能体の運転設定に関する嗜好を示す情報である。なお、ここでいう「第１移動可能体」とは、発信器を携帯している移動可能体である。また、ここにいう「移動可能体」とは、居室空間内を移動可能な主体であり、例えば、人間などである。また、ここにいう「第１位置情報」とは、第１移動可能体が複数の単位空間のうちどの単位空間内に存在しているのかを示す情報である。第２情報導出手段は、総数情報を導出する。ここにいう「総数情報」とは、居室空間内に存在している移動可能体の総数を示す情報である。設備制御手段は、第１嗜好情報、第１位置情報および総数情報に基づいて、設備機器を制御する。設備制御手段は、判定部と、設定部とを有する。判定部は、第１位置情報に基づいて、第１移動可能体の数である第１数を算出し、第１数と総数情報とを比較することにより、居室空間内に第１移動可能体以外の移動可能体である第２移動可能体が存在しているか否かを判定する。設定部は、判定部において第２移動可能体が存在していないとの判定結果が出た場合には、第１処理を実行し、判定部において第２移動可能体が存在しているとの判定結果が出た場合には、第２処理を実行する。第１処理は、第１嗜好情報および第１位置情報に基づいて、複数の単位空間それぞれに対する運転設定を行う処理である。第２処理は、第１嗜好情報および第１位置情報に基づいて、予め定められた運転設定の範囲内から第１移動可能体の運転設定に関する嗜好に最も近い運転設定を選択し、第１移動可能体が存在している単位空間に対する運転設定を行う処理である。
【０００５】
この設備制御システムでは、居室空間内の移動可能体が携帯している発信器からの信号に基づいて、その移動可能体の設備機器の運転設定に関する嗜好情報およびその移動可能体の存在している単位空間を示す位置情報が導出される。そして、導出された嗜好情報および位置情報に基づいて、単位空間ごとに設備機器が制御される。このため、この設備制御システムでは、単位空間ごとに移動可能体の嗜好に応じて設備機器の制御を行うことができる。したがって、この設備制御システムでは、居室空間に存在する移動可能体の快適性を高めることができる。
【０００６】
また、移動可能体の存在を考慮して設備機器が制御されるこの設備制御システムにおいて、移動可能体の存在が移動可能体の携帯している発信器からの信号にのみに基づいて検出される場合には、発信器を携帯していない移動可能体に不快な環境がもたらされる虞がある。この点、請求項１に係る設備制御システムでは、発信器の携帯の有無を問わず居室空間内の移動可能体の総数情報が導出され、導出された総数情報を利用して設備機器が制御される。このため、この設備制御システムでは、居室空間内に発信器を携帯していない移動可能体が存在する場合にも、その移動可能体の存在を考慮して単位空間ごとに設備機器を制御することができる。したがって、この設備制御システムでは、発信器を携帯している移動可能体の嗜好を活かした設備機器の運転設定を行いつつ、発信器を携帯していない移動可能体に不快な環境がもたらされることを抑制することができる。
【０００７】
また、この設備制御システムでは、居室空間内の移動可能体の総数情報と居室空間内の発信器を携帯している移動可能体の位置情報とに基づいて、居室空間内における発信器を携帯していない移動可能体の存否が判定され、その判定結果に応じて単位空間ごとに設備機器の運転設定が行われる。すなわち、この設備制御システムでは、発信器を携帯していない移動可能体の存在を検出することができる。したがって、この設備制御システムでは、発信器を携帯していない移動可能体の存在を考慮して、単位空間ごとに設備機器を制御することができる。
【０００８】
また、移動可能体の存在を考慮して設備機器が制御される設備制御システムにおいて、移動可能体の存在が移動可能体の携帯している発信器からの信号にのみに基づいて検出される場合には、発信器を携帯していない移動可能体に不快な環境がもたらされる虞がある。この点、この設備制御システムでは、発信器からの信号に基づいて移動可能体が存在していると判定される単位空間に対する設備機器の運転設定としては、予め定められた運転設定の範囲から外れない限りにおいて、その単位空間内の発信器を携帯している移動可能体の嗜好に最も近いものが選択されることになる。したがって、この設備制御システムでは、発信器を携帯している移動可能体の嗜好を活かした設備機器の運転設定を行いつつ、発信器を携帯していない移動可能体に不快な環境がもたらされることを抑制することができる。
【０００９】
請求項２に係る設備制御システムは、請求項１に記載の設備制御システムであって、第３情報導出手段をさらに備える。第３情報導出手段は、判定部において居室空間内に第２移動可能体が存在していると判定された場合には、第２位置情報を推定して導出する。なお、ここにいう「第２位置情報」とは、第２移動可能体が複数の単位空間のうちどの単位空間内に存在しているのかを示す情報である。設定部は、第１嗜好情報、第１位置情報および第２位置情報に基づいて、複数の単位空間のそれぞれに対して運転設定を行う。
【００１０】
この設備制御システムでは、居室空間内において発信器を携帯していない移動可能体の存在が検出された場合には、その発信器を携帯していない移動可能体の存在している単位空間を示す位置情報が推定により導出される。したがって、この設備制御システムでは、発信器を携帯していない移動可能体の位置情報を考慮して、単位空間ごとに設備機器を制御することができる。
【００１１】
請求項３に係る設備制御システムは、請求項２に記載の設備制御システムであって、第３情報導出手段は、第２移動可能体が複数の単位空間のうち所定の単位空間内に存在しているものと推定して、第２位置情報を導出する。設定部は、所定の単位空間内に存在している移動可能体の総数を考慮して、予め定められた運転設定の範囲内から所定の単位空間内に存在している第１移動可能体の運転設定に関する嗜好に近い運転設定を選択し、所定の単位空間に対する運転設定とする。
【００１２】
この設備制御システムでは、居室空間内において発信器を携帯していない移動可能体の存在が検出された場合には、その発信器を携帯していない移動可能体は、居室空間内の所定の単位空間内に存在しているものと推定される。すなわち、この設備制御システムでは、例えば、移動可能体が居室空間内においてその大部分の時間をある特定の単位空間で過ごすような場合には、発信器を携帯していない移動可能体の位置情報を合理的に推定することができる。なお、「所定の単位空間」は、移動可能体が一定の行動パターンに従って移動する場合等においては時間帯ごとに設定されてもよく、この場合においても発信器を携帯していない移動可能体の位置情報を合理的に推定することができる。さらに、この設備制御システムでは、移動可能体が存在していると推定された単位空間に対する設備機器の運転設定が選択されるに際しては、その単位空間内の移動可能体の総数が考慮されるとともに、予め定められた運転設定の範囲から外れない限りにおいて、その単位空間内の発信器を携帯している移動可能体の嗜好についても考慮されることになる。
【００１３】
請求項４に係る設備制御システムは、請求項２に記載の設備制御システムであって、第４情報導出手段をさらに備える。第４情報導出手段は、第２嗜好情報を導出する。ここにいう「第２嗜好情報」とは、第２移動可能体の運転設定に関する嗜好を示す情報である。設定部は、第１嗜好情報、第１位置情報、第２嗜好情報および第２位置情報に基づいて、複数の単位空間それぞれに対する運転設定を行う。
【００１４】
この設備制御システムでは、発信器を携帯していない移動可能体の設備機器の運転設定に関する嗜好情報が導出される。したがって、この設備制御システムでは、居室空間内の全ての移動可能体の嗜好に応じて設備機器の制御を行うことができる。
【００１５】
請求項５に係る設備制御システムは、請求項４に記載の設備制御システムであって、第３情報導出手段は、第２移動可能体が複数の単位空間のうち所定の単位空間内に存在しているものと推定して、第２位置情報を導出する。
【００１６】
この設備制御システムでは、居室空間内において発信器を携帯していない移動可能体の存在が検出された場合には、その発信器を携帯していない移動可能体は、居室空間内の所定の単位空間内に存在しているものと推定される。すなわち、この設備制御システムでは、例えば、移動可能体が居室空間内においてその大部分の時間をある特定の単位空間で過ごすような場合には、発信器を携帯していない移動可能体の位置情報を合理的に推定することができる。なお、「所定の単位空間」は、移動可能体が一定の行動パターンに従って移動する場合等においては時間帯ごとに設定されてもよく、この場合においても発信器を携帯していない移動可能体の位置情報を合理的に推定することができる。
【００１７】
請求項６に係る設備制御システムは、請求項４に記載の設備制御システムであって、第３情報導出手段は、第１移動可能体の行動パターンおよび第２移動可能体の行動パターンに基づいて、第２位置情報を推定して導出する。
【００１８】
この設備制御システムでは、居室空間内において発信器を携帯していない移動可能体の存在が検出された場合には、その発信器を携帯していない移動可能体の行動パターンと発信器を携帯している移動可能体の行動パターンとの関係を考慮して、発信器を携帯している移動可能体の実際の位置情報から発信器を携帯していない移動可能体の位置情報が推定される。すなわち、この設備制御システムでは、発信器を携帯していない移動可能体の位置情報を合理的に推定することができる。
【００１９】
また、請求項に係る発明には直接的には関連しないが、同様の課題を解決するための手段として以下の発明も考え得る。
【００２０】
第１発明に係る設備制御システムは、存否判定部、設備機器、第１情報保持部、および設備制御部を備える。存否判定部は、単位空間に仮想分割された居室空間において単位空間それぞれについて移動可能体が存在するか否かを判定する。なお、ここにいう「単位空間」には、複数の移動可能体が存在可能である。また、ここにいう「移動可能体」とは、例えば、人間や人間に携帯されている情報端末機などである。また、居室空間の仮想分割は、複数の移動体検知センサ（人検知センサなど）の検知範囲を調節することにより行われてもよいし、カメラからの撮影画像を分割することによって行われてもよいし、居室空間を座標化してその座標を分割することによって行われてもよい。また、設備機器が空気調和装置である場合、空気調和装置の空調範囲（空調能力）により単位空間の大きさを決定してもよい（つまり、空調範囲（空調能力）が高い場合は単位空間を大きく設定し、空調範囲（空調能力）が低い場合は単位空間を小さく設定する）。また、移動可能体が単位空間に存在するか否かについては、移動体検知センサを利用してもよいし、撮影画像の変化を利用して判定してもよいし、移動可能体が携帯している発信器あるいは受信器の位置を三辺測量法により特定することによって判定してもよいし、移動可能体が携帯している発信器の位置を電波強度を利用して特定してもよい。設備機器は、単位空間それぞれに対応して設置される。なお、ここにいう「設備機器」は、例えば、空気調和装置や照明装置などである。また、ここにいう「空気調和装置」は、例えば、冷房装置、暖房装置、除湿器、加湿器、換気装置、および空気清浄装置などである。第１情報保持部には、移動可能体関連情報が保持される。なお、ここにいう「移動可能体関連情報」とは、移動可能体に関する情報であり、例えば、移動可能体の嗜好情報などである。また、ここにいう「嗜好情報」とは、例えば、設備機器が空気調和装置である場合、移動可能体（人間）が好む設定温度や、設定湿度、風向、風量、空気清浄レベル、二酸化炭素濃度などであり、設備機器が照明装置である場合、移動可能体（人間）が好む明るさや色調などである。また、この移動可能体関連情報は、移動可能体の携帯端末に自己識別情報が記憶されていない場合にはその携帯端末に記憶され、移動可能体の携帯端末に自己識別情報が記憶されている場合には情報管理サーバ等に記憶される。設備制御部は、第１単位空間に対応する設備機器に対して第１制御を行う。なお、ここにいう「第１単位空間」とは、存否判定部において移動可能体が存在していると判定された単位空間である。また、ここにいう「第１制御」とは、移動可能体関連情報を利用した制御である。
【００２１】
この設備制御システムでは、存否判定部が、単位空間に仮想分割された居室空間において単位空間それぞれについて移動可能体が存在するか否かを判定する。また、設備機器が、単位空間それぞれに対応して設置される。また、第１情報保持部に、移動可能体関連情報が保持される。そして、設備制御部が、第１単位空間に対応する設備機器に対して第１制御を行う。このため、この設備制御システムでは、第１単位空間において人間などの嗜好に応じて設備機器の制御を行うことができる。したがって、この設備制御システムでは、居室空間に存在する人間の快適性を高めることができる。
【００２２】
第２発明に係る設備制御システムは、第１発明に係る設備制御システムであって、第２情報保持部、情報関連テーブル保持部、および情報導出部をさらに備える。第２情報保持部には、移動可能体識別情報が保持される。なお、ここにいう「移動可能体識別情報」とは、移動可能体を識別する情報である。情報関連テーブル保持部には、情報関連テーブルが保持される。なお、ここにいう「情報関連テーブル」とは、移動可能体識別情報と移動可能体関連情報とを関連づけるテーブルである。情報導出部は、情報関連テーブルに基づいて移動可能体識別情報から特定の移動可能体関連情報を導出する。そして、第１制御は、特定の移動可能体関連情報を利用した制御である。
【００２３】
この設備制御システムでは、第２情報保持部に、移動可能体識別情報が保持される。また、情報関連テーブル保持部に、情報関連テーブルが保持される。そして、情報導出部が、情報関連テーブルに基づいて移動可能体識別情報から特定の移動可能体関連情報を導出する。そして、設備制御部が、第１単位空間に対応する設備機器に対して、特定の移動可能体関連情報を利用した制御を行う。このため、この設備制御システムでは、移動可能体は移動可能体識別情報のみを保持しておけばよい。したがって、この設備制御システムでは、移動可能体に保持させる情報記憶媒体を、例えば、ＲＦＩＤタグなどの簡素なものとすることができる。この結果、この設備制御システムは、低コストで構築することが可能となる。
【００２４】
第３発明に係る設備制御システムは、第１発明または第２発明に係る設備制御システムであって、設備制御部は、単位空間に複数の移動可能体が存在している場合、演算出力情報に基づいて第１制御を行う。なお、ここにいう「演算出力情報」とは、複数の移動可能体に対応する複数の移動可能体関連情報を演算して得られる情報である。
【００２５】
この設備制御システムでは、設備制御部が、単位空間に複数の移動可能体が存在している場合、演算出力情報に基づいて第１制御を行う。このため、この設備制御システムでは、単位空間に複数の移動可能体が存在している場合に、複数の移動可能体に対してできるだけ快適な空間を提供できるような制御パラメータを自動決定させることができる。
【００２６】
第４発明に係る設備制御システムは、第３発明に係る設備制御システムであって、移動可能体関連情報は、数値情報である。そして、演算出力情報は、移動可能体関連情報の平均値の情報である。
【００２７】
この設備制御システムでは、単位空間に複数の移動可能体が存在している場合、設備制御部が、移動可能体関連情報の平均値に基づいて第１制御を行う。このため、この設備制御システムでは、単位空間に複数の移動可能体が存在している場合に、ほとんどの移動可能体に対して適度に快適な空間を提供することができる。
【００２８】
第５発明に係る設備制御システムは、第３発明に係る設備制御システムであって、移動可能体関連情報には、優先度の情報が含まれる。そして、演算出力情報は、高い優先度の情報が含まれる移動可能体関連情報を優先的に利用して得られた演算出力情報である。なお、ここにいう「高い優先度の情報が含まれる移動可能体関連情報を優先的に利用」するとは、例えば、高い優先度の情報が含まれる上位数個の移動可能体関連情報のみを利用することや、高い優先度の情報が含まれる移動可能体関連情報に大きな重み付けをすることなどを意味する。
【００２９】
この設備制御システムでは、単位空間に複数の移動可能体が存在している場合、設備制御部が、高い優先度の情報が含まれる移動可能体関連情報を優先的に利用して第１制御を行う。このため、この設備制御システムでは、例えば、知的生産性の高い人や虚弱な人などに対して優先的に快適空間を提供することができ、組織全体の知的生産性の向上や虚弱者の健康保護などを図ることが可能となる。
【００３０】
第６発明に係る設備制御システムは、第３発明に係る設備制御システムであって、移動可能体滞在時間計測部をさらに備える。移動可能体滞在時間計測部は、移動可能体の単位空間の滞在時間を計測する。そして、演算出力情報は、単位空間の滞在時間を利用して得られた演算出力情報である。このときの第１制御の態様としては、例えば、単位空間の滞在時間の長い移動可能体に対応する移動可能体関連情報を優先的に利用して第１制御を行うこと、逆に、単位空間の滞在時間の短い移動可能体に対応する移動可能体関連情報を優先的に利用して第１制御を行うこと等が考えられる。なお、ここにいう「単位空間の滞在時間の長い又は短い移動可能体に対応する移動可能体関連情報を優先的に利用」するとは、例えば、単位空間の滞在時間の長い又は短い移動可能体に対応する上位数個の移動可能体関連情報のみを利用することや、単位空間の滞在時間の長い又は短い移動可能体に対応する移動可能体関連情報に大きな重み付けをすることなどを意味する。
【００３１】
この設備制御システムでは、単位空間に複数の移動可能体が存在している場合、設備制御部が、単位空間の滞在時間を利用して第１制御を行う。このため、この設備制御システムでは、単位空間の利用時間を考慮して快適空間を提供することができる。
【００３２】
第７発明に係る設備制御システムは、第３発明に係る設備制御システムであって、移動可能体関連情報は、数値情報である。そして、演算出力情報は、移動可能体関連情報の総和の情報である。
【００３３】
この設備制御システムでは、単位空間に複数の移動可能体が存在している場合、設備制御部が、移動可能体関連情報の総和に基づいて第１制御を行う。例えば、設備機器が換気装置である場合、単位空間それぞれについて二酸化炭素センサを設けるのはコスト増につながる。しかし、この設備制御システムにおいて、移動可能体関連情報が居室空間を利用する人それぞれに固有の単位時間当たりの二酸化炭素排出量である場合、単位時間当たりの二酸化炭素排出量に滞在時間を乗じた値の総和を求めれば、単位空間それぞれにおける二酸化炭素排出量が推定可能である。したがって、この設備制御システムでは、上記のような場合、二酸化炭素センサを設けることなく低コストで同様の換気制御を行うことができる。
【００３４】
第８発明に係る設備制御システムは、第１発明から第７発明のいずれかに係る設備制御システムであって、第１情報表示部をさらに備える。第１情報表示部は、情報を表示する。なお、ここにいう「情報」とは、例えば、移動可能体関連情報（数値情報および優先度の情報など）、移動可能体識別情報、および演算出力情報などである。
【００３５】
この設備制御システムでは、第１情報表示部が、移動可能体関連情報（数値情報および優先度の情報など）、移動可能体識別情報、および演算出力情報などを表示する。このため、この設備制御システムでは、移動可能体が第１情報表示部を見ることができれば、複数の移動可能体が１つの単位空間に存在する場合、その単位空間に対応する設備機器がどのように制御されているのか、また、その単位空間に存在する複数の移動可能体がどのような移動可能体関連情報を有しているのか等を確認することができる。したがって、この設備制御システムでは、移動可能体は、第１情報表示部を見ることができれば、設備機器が自身の希望と異なる制御を行っていたとしても、ある程度納得することができる。
【００３６】
第９発明に係る設備制御システムは、第８発明に係る設備制御システムであって、第１情報表示部は、移動可能体それぞれに対して用意される。また、この第１情報表示部は、自体が存在する単位空間に存在する移動可能体に対応する移動可能体関連情報を表示する。なお、ここにいう「自体」とは、情報表示部自体である。
【００３７】
この設備制御システムでは、第１情報表示部が、移動可能体それぞれに対して用意され、自体が存在する単位空間に存在する移動可能体に対応する移動可能体関連情報を表示する。このため、この設備制御システムでは、移動可能体が第１情報表示部を携帯していれば、移動可能体は、自身が存在する単位空間に存在する他の移動可能体の移動可能体関連情報を確認することができる。したがって、この設備制御システムでは、移動可能体は、設備機器が自身の希望と異なる制御を行っていたとしても、ある程度納得することができる。
【００３８】
第１０発明に係る設備制御システムは、第８発明または第９発明に係る設備制御システムであって、カウント部をさらに備える。カウント部は、単位空間に存在する移動可能体の数をカウントする。そして、第１情報表示部は、移動可能体それぞれに対して用意される。また、この第１情報表示部は、自体が存在する単位空間に存在する前記移動可能体の数の情報を表示する。
【００３９】
この設備制御システムでは、カウント部が、単位空間に存在する移動可能体の数をカウントする。そして、第１情報表示部が、移動可能体それぞれに対して用意され、自体が存在する単位空間に存在する前記移動可能体の数の情報を表示する。このため、この設備制御システムでは、移動可能体が第１情報表示部を携帯していれば、移動可能体は、自身が存在する単位空間に存在する他の移動可能体の数を認識することができる。
【００４０】
第１１発明に係る設備制御システムは、第８発明から第１０発明のいずれかに係る設備制御システムであって、第１情報表示部は、移動可能体それぞれに対して用意される。また、この第１情報表示部は、自体が存在する単位空間に対応する設備機器に関連する情報である設備関連情報を表示する。
【００４１】
この設備制御システムでは、第１情報表示部が、移動可能体それぞれに対して用意され、設備関連情報を表示する。このため、この設備制御システムでは、移動可能体が第１情報表示部を携帯していれば、移動可能体は、自身のために運転されている設備機器を特定したり設備機器の能力などを確認したりすることができる。
【００４２】
第１２発明に係る設備制御システムは、第３発明から第７発明のいずれかに係る設備制御システムであって、第２情報表示部をさらに備える。第２情報表示部は、移動可能体それぞれに対して用意される。また、この第２情報表示部は、自体が存在する単位空間に対応する演算出力情報を表示する。なお、ここで、第１情報表示部と第２情報表示部とは同一であってもよい。
【００４３】
この設備制御システムでは、第２情報表示部が、移動可能体それぞれに対して用意され、自体が存在する単位空間に対応する演算出力情報を表示する。このため、この設備制御システムでは、移動可能体が第１情報表示部を携帯していれば、移動可能体は、自身が存在する単位空間に対応する設備機器の制御状態を確認することができる。
【００４４】
第１３発明に係る設備制御システムは、第１発明から第１２発明のいずれかに係る設備制御システムであって、情報変更手段をさらに備える。情報変更手段では、移動可能体関連情報が変更される。
【００４５】
この設備制御システムでは、情報変更手段で、移動可能体関連情報が変更される。このため、この設備制御システムでは、例えば、運動直後など、移動可能体の嗜好が一時的に変化するような場合に、容易に対応することができる。
【００４６】
第１４発明に係る設備制御システムは、第１３発明に係る設備制御システムであって、情報変更範囲制限手段をさらに備える。情報変更範囲制限手段は、移動可能体関連情報を変更する範囲を制限する。
【００４７】
この設備制御システムでは、情報変更範囲制限手段が、移動可能体関連情報を変更する範囲を制限する。このため、この設備制御システムでは、移動可能体が過度に移動可能体関連情報を変更することを防止することができる。
【００４８】
第１５発明に係る設備制御システムは、第１３発明に係る設備制御システムであって、移動可能体関連情報は、数値情報である。また、この設備制御システムは、情報入力部をさらに備える。情報入力部は、移動可能体関連情報のオフセット値情報を入力するためのものである。そして、情報変更手段は、オフセット値情報を利用して移動可能体関連情報を変更する。
【００４９】
この設備制御システムでは、情報変更手段が、オフセット値情報を利用して移動可能体関連情報を変更する。このため、この設備制御システムでは、元の移動可能体関連情報を変更せずに移動可能体関連情報の変更が可能となる。したがって、この設備制御システムでは、移動可能体が不用意に元の移動可能体関連情報を永久変更してしまうことを防止することができる。
【００５０】
第１６発明に係る設備制御システムは、第１５発明に係る設備制御システムであって、オフセット値情報範囲制限手段をさらに備える。オフセット値情報範囲制限手段は、オフセット値情報の範囲を制限する。
【００５１】
この設備制御システムでは、オフセット値情報範囲制限手段が、オフセット値情報の範囲を制限する。このため、この設備制御システムでは、移動可能体が過度に移動可能体関連情報を変更することを防止することができる。
【００５２】
第１７発明に係る設備制御システムは、第１３発明から第１６発明のいずれかに係る設備制御システムであって、変更時間規定部をさらに備える。変更時間規定部では、移動可能体関連情報を変更する時間が規定される。
【００５３】
この設備制御システムでは、変更時間規定部で、移動可能体関連情報を変更する時間が規定される。このため、この設備制御システムでは、移動可能体が不用意に元の移動可能体関連情報を永久変更してしまうことを防止することができる。
【００５４】
第１８発明に係る設備制御システムは、第１発明から第１７発明のいずれかに係る設備制御システムであって、設備制御部は、存否判定部において移動可能体が存在していないと判定された単位空間に対応する設備機器に対して第２制御を行う。なお、ここにいう「第２制御」とは第１制御とは異なる制御であり、例えば、設備機器を停止させる制御や、設備機器を最低能力で運転する制御などである。
【００５５】
この設備制御システムでは、設備制御部が、存否判定部において移動可能体が存在していないと判定された単位空間に対応する設備機器に対して第２制御を行う。このため、この設備制御システムでは、居室全体を均一に制御するのに比べて消費エネルギーを低減することが可能となる。
【００５６】
第１９発明に係る設備制御システムは、第１８発明に係る設備制御システムであって、第２制御は、停止制御である。
【００５７】
この設備制御システムでは、第２制御が、停止制御である。このため、この設備制御システムでは、居室全体を均一に制御するのに比べて消費エネルギーを低減することが可能となる。
【００５８】
第２０発明に係る設備制御システムは、第１８発明に係る設備制御システムであって、設備機器は、インバータ制御される圧縮機を有する空気調和装置である。そして、第２制御は、圧縮機の運転周波数を最小にする制御である。
【００５９】
この設備制御システムでは、第２制御が、圧縮機の運転周波数を最小にする制御である。このため、この設備制御システムでは、居室全体を均一に制御するのに比べて消費エネルギーを低減することが可能となる。また、この設備制御システムでは、圧縮機を停止させないので、圧縮機の寿命を延ばすことができる。
【００６０】
第２１発明に係る設備制御システムは、第１発明から第１７発明のいずれかに係る設備制御システムであって、隣接判定部をさらに備える。隣接判定部は、第２単位空間が第１単位空間に隣接しているか否かを判定する。なお、ここにいう「第２単位空間」とは、存否判定部において移動可能体が存在していないと判定された単位空間である。そして、設備制御部は、隣接判定部において第１単位空間に隣接していると判定された第２単位空間に対応する設備機器に対して設備機器が第１制御されているときよりも消費電力が小さくなる制御を行い、隣接判定部において第１単位空間に隣接していないと判定された第２単位空間に対応する設備機器に対して、停止制御を行う。
【００６１】
この設備制御システムでは、設備制御部が、隣接判定部において第１単位空間に隣接していると判定された第２単位空間に対応する設備機器に対して設備機器が第１制御されているときよりも消費電力が小さくなる制御を行い、隣接判定部において第１単位空間に隣接していないと判定された第２単位空間に対応する設備機器に対して、停止制御を行う。このため、この設備制御システムでは、居室全体を均一に制御するのに比べて消費エネルギーを低減することが可能となるとともに、移動可能体が存在する単位空間の快適性を損なうことを防ぐことができる。
【００６２】
第２２発明に係る設備制御システムは、第１発明から第１７発明のいずれかに係る設備制御システムであって、位置検出部をさらに備える。位置検出部は、第２単位空間と第１単位空間との位置関係を検出する。なお、ここにいう「第２単位空間」とは、存否判定部において移動可能体が存在していないと判定された単位空間である。そして、設備制御部は、第２単位空間に対応する設備機器に対して第３制御を行う。なお、ここにいう「第３制御」とは、位置関係を利用した制御である。
【００６３】
この設備制御システムでは、位置検出部が、第２単位空間と第１単位空間との位置関係を検出する。そして、設備制御部が、第２単位空間に対応する設備機器に対して第３制御を行う。このため、この設備制御システムでは、例えば、第１単位空間からの距離が遠い第２単位空間に対応する設備機器ほど、能力を弱める制御などを行うことが可能となる。したがって、この設備制御システムでは、居室全体を均一に制御するのに比べて消費エネルギーを低減することが可能となるとともに、移動可能体が存在する単位空間の快適性を損なうことを防ぐことができる。
【００６４】
第２３発明に係る設備制御システムは、第２２発明に係る設備制御システムであって、第３制御は、第１単位空間からの距離が遠い第２単位空間に対応する設備機器ほど、能力を弱める制御である。
【００６５】
この設備制御システムでは、第３制御が、第１単位空間からの距離が遠い第２単位空間に対応する設備機器ほど、能力を弱める制御である。このため、この設備制御システムでは、居室全体を均一に制御するのに比べて消費エネルギーを低減することが可能となるとともに、移動可能体が存在する単位空間の快適性を損なうことを防ぐことができる。
【００６６】
第２４発明に係る設備制御システムは、第２３発明に係る設備制御システムであって、設備機器の能力を弱める割合は、移動可能体の標準移動速度および設備機器の時間に関する情報を利用して決定される。なお、ここにいう「設備機器の時間に関する情報」とは、例えば、起動速度や反応速度などである。
【００６７】
この設備制御システムでは、設備機器の能力を弱める割合が、移動可能体の標準移動速度および設備機器の時間に関する情報を利用して決定される。このため、この設備制御システムでは、移動可能体が移動している間であっても移動可能体に快適な空間を提供し続けることが可能となる。
【００６８】
第２５発明に係る設備制御装置は、存否判定部、第１情報取得部、および設備制御部を備える。存否判定部は、単位空間に仮想分割された居室空間において単位空間それぞれについて移動可能体が存在するか否かを判定する。なお、ここにいう「単位空間」には、複数の移動可能体が存在可能である。また、ここにいう「移動可能体」とは、例えば、人間などである。また、居室空間の仮想分割は、複数の移動体検知センサ（人検知センサなど）の検知範囲を調節することにより行われてもよいし、カメラからの撮影画像を分割することによって行われてもよいし、居室空間を座標化してその座標を分割することによって行われてもよい。また、移動可能体が単位空間に存在するか否かについては、移動体検知センサを利用してもよいし、撮影画像の変化を利用して判定してもよいし、移動可能体が携帯している発信器あるいは受信器の位置を三辺測量法により特定することによって判定してもよい。第１情報取得部は、移動可能体関連情報を取得する。なお、ここにいう「移動可能体関連情報」とは、移動可能体に関する情報である。設備制御部は、第１単位空間に対応する設備機器に対して第１制御を行う。なお、ここにいう「第１単位空間」とは、存否判定部において移動可能体が存在していると判定された単位空間である。また、ここにいう「設備機器」は、例えば、空気調和装置や照明装置などである。また、ここにいう「空気調和装置」は、例えば、冷房装置、暖房装置、除湿器、加湿器、換気装置、および空気清浄装置などである。また、ここにいう「第１制御」とは、移動可能体関連情報を利用した制御である。
【００６９】
この設備制御装置では、存否判定部が、単位空間に仮想分割された居室空間において単位空間それぞれについて移動可能体が存在するか否かを判定する。また、第１情報取得部が、移動可能体関連情報を取得する。そして、設備制御部が、第１単位空間に対応する設備機器に対して第１制御を行う。このため、この設備制御装置では、第１単位空間において人間などの嗜好に応じて設備機器の制御を行うことができる。したがって、この設備制御装置では、居室空間に存在する人間の快適性を高めることができる。
【発明の効果】
【００７０】
請求項１に係る設備制御システムでは、単位空間ごとに移動可能体の嗜好に応じて設備機器の制御を行うことができる。したがって、この設備制御システムでは、居室空間に存在する移動可能体の快適性を高めることができる。また、居室空間内に発信器を携帯していない移動可能体が存在する場合にも、その移動可能体の存在を考慮して単位空間ごとに設備機器を制御することができる。したがって、この設備制御システムでは、発信器を携帯している移動可能体の嗜好を活かした設備機器の運転設定を行いつつ、発信器を携帯していない移動可能体に不快な環境がもたらされることを抑制することができる。
【００７１】
また、発信器を携帯していない移動可能体の存在を検出することができる。したがって、この設備制御システムでは、発信器を携帯していない移動可能体の存在を考慮して、単位空間ごとに設備機器を制御することができる。
【００７２】
また、発信器を携帯している移動可能体の嗜好を活かした設備機器の運転設定を行いつつ、発信器を携帯していない移動可能体に不快な環境がもたらされることを抑制することができる。
【００７３】
請求項２に係る設備制御システムでは、発信器を携帯していない移動可能体の位置情報を考慮して、単位空間ごとに設備機器を制御することができる。
【００７４】
請求項３に係る設備制御システムでは、発信器を携帯していない移動可能体の位置情報を合理的に推定することができる。
【００７５】
請求項４に係る設備制御システムでは、居室空間内の全ての移動可能体の嗜好に応じて設備機器の制御を行うことができる。
【００７６】
請求項５に係る設備制御システムでは、発信器を携帯していない移動可能体の位置情報を合理的に推定することができる。
【００７７】
請求項６に係る設備制御システムでは、発信器を携帯していない移動可能体の位置情報を合理的に推定することができる。
【００７８】
第１発明に係る設備制御システムでは、第１単位空間において人間などの嗜好に応じて設備機器の制御を行うことができる。したがって、この設備制御システムでは、居室空間に存在する人間の快適性を高めることができる。
【００７９】
第２発明に係る設備制御システムでは、移動可能体に保持させる情報記憶媒体を、例えば、ＲＦＩＤタグなどの簡素なものとすることができる。この結果、この設備制御システムは、低コストで構築することが可能となる。
【００８０】
第３発明に係る設備制御システムでは、単位空間に複数の移動可能体が存在している場合に、複数の移動可能体に対してできるだけ快適な空間を提供できるような制御パラメータを自動決定させることができる。
【００８１】
第４発明に係る設備制御システムでは、単位空間に複数の移動可能体が存在している場合に、ほとんどの移動可能体に対して適度に快適な空間を提供することができる。
【００８２】
第５発明に係る設備制御システムでは、知的生産性の高い人や虚弱な人などに対して優先的に快適空間を提供することができ、組織全体の知的生産性の向上や虚弱者の健康保護などを図ることが可能となる。
【００８３】
第６発明に係る設備制御システムでは、単位空間の利用時間を考慮して快適空間を提供することができる。
【００８４】
第７発明に係る設備制御システムでは、二酸化炭素センサを設けることなく低コストで同様の換気制御を行うことができる。
【００８５】
第８発明に係る設備制御システムでは、移動可能体が第１情報表示部を見ることができれば、複数の移動可能体が１つの単位空間に存在する場合、その単位空間に対応する設備機器がどのように制御されているのか、また、その単位空間に存在する複数の移動可能体がどのような移動可能体関連情報を有しているのか等を確認することができる。したがって、この設備制御システムでは、移動可能体は、第１情報表示部を見ることができれば、設備機器が自身の希望と異なる制御を行っていたとしても、ある程度納得することができる。
【００８６】
第９発明に係る設備制御システムでは、移動可能体が第１情報表示部を携帯していれば、移動可能体は、自身が存在する単位空間に存在する他の移動可能体の移動可能体関連情報を確認することができる。したがって、この設備制御システムでは、移動可能体は、設備機器が自身の希望と異なる制御を行っていたとしても、ある程度納得することができる。
【００８７】
第１０発明に係る設備制御システムでは、移動可能体が第１情報表示部を携帯していれば、移動可能体は、自身が存在する単位空間に存在する他の移動可能体の数を認識することができる。
【００８８】
第１１発明に係る設備制御システムでは、移動可能体が第１情報表示部を携帯していれば、移動可能体は、自身のために運転されている設備機器を特定したり設備機器の能力などを確認したりすることができる。
【００８９】
第１２発明に係る設備制御システムでは、移動可能体が第１情報表示部を携帯していれば、移動可能体は、自身が存在する単位空間に対応する設備機器の制御状態を確認することができる。
【００９０】
第１３発明に係る設備制御システムでは、例えば、運動直後など、移動可能体の嗜好が一時的に変化するような場合に、容易に対応することができる。
【００９１】
第１４発明に係る設備制御システムでは、移動可能体が過度に移動可能体関連情報を変更することを防止することができる。
【００９２】
第１５発明に係る設備制御システムでは、元の移動可能体関連情報を変更せずに移動可能体関連情報の変更が可能となる。したがって、この設備制御システムでは、移動可能体が不用意に元の移動可能体関連情報を永久変更してしまうことを防止することができる。
【００９３】
第１６発明に係る設備制御システムでは、移動可能体が過度に移動可能体関連情報を変更することを防止することができる。
【００９４】
第１７発明に係る設備制御システムでは、移動可能体が不用意に元の移動可能体関連情報を永久変更してしまうことを防止することができる。
【００９５】
第１８発明に係る設備制御システムでは、居室全体を均一に制御するのに比べて消費エネルギーを低減することが可能となる。
【００９６】
第１９発明に係る設備制御システムでは、居室全体を均一に制御するのに比べて消費エネルギーを低減することが可能となる。
【００９７】
第２０発明に係る設備制御システムでは、居室全体を均一に制御するのに比べて消費エネルギーを低減することが可能となる。また、この設備制御システムでは、圧縮機を停止させないので、圧縮機の寿命を延ばすことができる。
【００９８】
第２１発明に係る設備制御システムでは、居室全体を均一に制御するのに比べて消費エネルギーを低減することが可能となるとともに、移動可能体が存在する単位空間の快適性を損なうことを防ぐことができる。
【００９９】
第２２発明に係る設備制御システムでは、例えば、第１単位空間からの距離が遠い第２単位空間に対応する設備機器ほど、能力を弱める制御などを行うことが可能となる。したがって、この設備制御システムでは、居室全体を均一に制御するのに比べて消費エネルギーを低減することが可能となるとともに、移動可能体が存在する単位空間の快適性を損なうことを防ぐことができる。
【０１００】
第２３発明に係る設備制御システムでは、居室全体を均一に制御するのに比べて消費エネルギーを低減することが可能となるとともに、移動可能体が存在する単位空間の快適性を損なうことを防ぐことができる。
【０１０１】
第２４発明に係る設備制御システムでは、移動可能体が移動している間であっても移動可能体に快適な空間を提供し続けることが可能となる。
【０１０２】
第２５発明に係る設備制御装置では、第１単位空間において人間などの嗜好に応じて設備機器の制御を行うことができる。したがって、この設備制御装置では、居室空間に存在する人間の快適性を高めることができる。
【発明を実施するための最良の形態】
【０１０３】
ここでは、図１〜図３４の図面を参照しながら本発明の実施の形態に係るセル型空調・照明制御システム１，１００，３００について説明する。なお、以下の説明において、同じ参照符号の付された構成要素は同じ構成を有するものとする。
【０１０４】
＜第１実施の形態＞
〔セル型空調・照明制御システム〕
このセル型空調・照明制御システム１は、図１に示されるように、主に、空気調和装置２ａ，２ｂ，２ｃ，・・・、照明装置３ａ，３ｂ，３ｃ，・・・、携帯型ＳＩＰ（Session Initiation Protocol）フォン４ａ，４ｂ，４ｃ，・・・、情報管理サーバ５、無線ＬＡＮ（Local Area Network）アクセスポイント１０ａ，１０ｂ，１０ｃ・・・、および制御装置７から構成されている。以下、これらの各構成要素について詳述する。
【０１０５】
（１）空気調和装置
本実施の形態に係る空気調和装置２ａ，２ｂ，２ｃ，・・・は、図１に示されるように、主に、居室内に設置される室内機２０ａ，２０ｂ，２０ｃ，・・・、屋外に設置される室外機２１ａ，２１ｂ，２１ｃ，・・・、室内機２０ａ，２０ｂ，２０ｃ，・・・と室外機２１ａ，２１ｂ，２１ｃ，・・・とを冷媒循環可能に接続する冷媒配管２２ａ，２２ｂ，２２ｃ，・・・、および室内機２０ａ，２０ｂ，２０ｃ，・・・と室外機２１ａ，２１ｂ，２１ｃ，・・・とを通信接続する第３通信線２３ａ，２３ｂ，２３ｃ，・・・から構成されるセパレート型の空気調和装置である。また、この室内機２０ａ，２０ｂ，２０ｃ，・・・は、カセット式の室内機であり、化粧パネル２４ａ，２４ｂ，２４ｃ，・・・が居室側に露出するように天井裏に埋設される。また、この室外機２１ａ，２１ｂ，２１ｃ，・・・には、図示しない圧縮機が搭載されているが、この圧縮機は、インバータ制御可能な圧縮機である。なお、これらの空気調和装置２ａ，２ｂ，２ｃ，・・・は、基本機能として、送風機能、冷暖房機能、および除湿機能などを有する。また、これらの空気調和装置２ａ，２ｂ，２ｃでは室外機２１ａ，２１ｂ，２１ｃ，・・・それぞれに図示しない加湿ユニットが設けられており、加湿ユニットは第１給気管（図示せず）を介して室内機２０ａ，２０ｂ，２０ｃ，・・・に接続されている。このため、これらの空気調和装置２ａ，２ｂ，２ｃは、加湿機能をも有する。また、これらの空気調和装置２ａ，２ｂ，２ｃ，・・・では室内機２０ａ，２０ｂ，２０ｃ，・・・それぞれに外気導入管（図示せず）および第２排気管（図示せず）が配管接続されている。このため、これらの空気調和装置２ａ，２ｂ，２ｃ，・・・は、換気機能をも有する。なお、本実施の形態では、外気導入管および第２排気管は全熱交換器（図示せず）に接続されているため、換気時において無駄に熱を排出することはない。
【０１０６】
そして、これらの空気調和装置２ａ，２ｂ，２ｃは、第２通信線９２を介して制御装置７に通信接続されており、制御装置７から送信される制御信号に従って種々の機能を発揮する。また、この室内機２０ａ，２０ｂ，２０ｃ，・・・には、図１に示されるように、無線ＬＡＮアクセスポイント１０ａ，１０ｂ，１０ｃ・・・が内蔵されている。
【０１０７】
（２）照明装置
本実施の形態に係る照明装置３ａ，３ｂ，３ｃ，・・・は、照度調節可能な照明装置である。なお、これらの照明装置３ａ，３ｂ，３ｃ，・・・には図示しない照度センサが設けられており、照度センサは第１通信線９１を介して制御装置７に通信接続されている。照度センサは計測値を制御装置７に送信し、制御装置７は照明装置３ａ，３ｂ，３ｃ，・・・の照度が目的照度に達すように照明装置３ａ，３ｂ，３ｃ，・・・の制御部（図示せず）に電力消費信号を第１通信線９１を介して送信する。
【０１０８】
（３）携帯型ＳＩＰフォン
本実施の形態に係る携帯型ＳＩＰフォン４ａ，４ｂ，４ｃ，・・・は、携帯電話の形をした無線ＬＡＮ対応のＩＰ電話である。このため、この携帯型ＳＩＰフォン４ａ，４ｂ，４ｃ，・・・は、無線ＬＡＮアクセスポイント１０ａ，１０ｂ，１０ｃ・・・と無線通信を行うことができる。なお、この携帯型ＳＩＰフォン４ａ，４ｂ，４ｃ，・・・にはデータ書き換え可能な記憶部（図示せず）が内蔵されており、その記憶部にはＩＰ電話実行プログラムや、その携帯型ＳＩＰフォン４ａ，４ｂ，４ｃ，・・・を所有する人の識別番号データ（以下、個人識別番号データという）などが記憶されている。本実施の形態では、携帯型ＳＩＰフォン４ａ，４ｂ，４ｃ，・・・の電源が投入されている場合、この携帯型ＳＩＰフォン４ａ，４ｂ，４ｃ，・・・は、個人識別番号データを常時発信している。
【０１０９】
（４）情報管理サーバ
本実施の形態に係る情報管理サーバ５は、図２に示されるように、主に、サーバ本体５０およびルータ６０から構成されている。なお、情報管理サーバ５にメンテナンスやアップデートが必要な場合は、図示しない入力装置インターフェイスやディスプレイインターフェイス等に入力装置（図示せず）やディスプレイ（図示せず）等が適宜接続される。
【０１１０】
サーバ本体５０は、図２に示されるように、主に、中央処理部５１、メインメモリ５３、ハードディスク５４、接続部５２、ＩＤＥインターフェイス５５、およびＬＡＮインターフェイス５６から構成されている。そして、このサーバ本体５０では、中央処理部５１が第１バス線５７を介して、メインメモリ５３が第２バス線５８を介して、ＬＡＮインターフェイス５６およびＩＤＥインターフェイス５５が第３バス線５９を介して接続部５２に接続されている。ここで、中央処理部５１は、例えば、マイクロプロセッサと呼ばれる半導体チップ等であって、主に、制御部５１Ａおよび演算部５１Ｂから構成される（他に１次キャッシュメモリや２次キャッシュメモリ等を含んでいてもよい）。メインメモリ５３は、例えば、ＲＡＭ（ランダムアクセスメモリ）等の半導体チップである。接続部５２は、チップセット等の半導体チップである。なお、このハードディスク５４は、外付けタイプであってもかまわない。そして、このハードディスク５４には、図３に示されるように、オペレーティングシステム５４ａ、デバイスドライバ５４ｂ、データベースアプリケーション５４ｃ、位置情報導出アプリケーション５４ｅ、制御パラメータ導出アプリケーション５４ｇ、およびソフトウェアタイマーアプリケーション５４ｉといったプログラムや、居室の平面座標データ５４ｆ（後述）、設備対応関係データベース５４ｈ（後述）、個人情報データベース５４ｄ等が格納されている。オペレーティングシステム５４ａは、例えば、ＷＩＮＤＯＷＳ（登録商標）、ＭＡＣ  ＯＳ（登録商標）、ＯＳ／２、ＵＮＩＸ（登録商標）（例えば、Ｌｉｎｕｘ（登録商標）等）、あるいはＢｅＯＳ（登録商標）等であって、各部５２〜５４、各種インターフェイス５５，５６、ルータ６０等のハードウェア管理や、ユーザインターフェイスの提供、各種データの管理、アプリケーションの共通部分の処理等を行う。デバイスドライバ５４ｂは、ハードディスク５４、接続部５２、およびルータ６０それぞれに対して用意されている専用プログラムであって、オペレーティングシステム５４ａがハードディスク５４、接続部５２、およびルータ６０を制御するための橋渡しを行う。データベースアプリケーション５４ｃは、個人情報データベース５４ｄや設備対応関係データベース５４ｈなどを構築したりアップデートしたりするためのプログラムである。なお、本実施の形態において、個人情報データベース５４ｄには、図４に示されるように、個人識別番号データに対して、重み付け係数データ、ならびに冷房時希望設定温度データ、暖房時希望設定温度データ、冷房時希望設定湿度データ、暖房時希望設定湿度データ、二酸化炭素排出量データ、および希望設定照度データ（本実施の形態においては、５００ルクス以上という制限が設けられている）などの個人嗜好データが関連づけられた上で蓄積されている。なお、これらの重み付け係数データおよび個人嗜好データは、後述する様々な空調・照明制御において利用されることになる。位置情報導出アプリケーション５４ｅは、無線ＬＡＮアクセスポイント１０ａ，１０ｂ．１０ｃからイーサネット（登録商標）ケーブル９４およびルータ６０を介して送信されてくる個人識別番号データと���波強度データとからその個人識別番号データを発信している携帯型ＳＩＰフォン４ａ，４ｂ，４ｃ，・・・の位置を導出する。制御パラメータ導出アプリケーション５４ｇは、制御装置７が空気調和装置２ａ〜２ｘおよび照明装置３ａ〜３ｔを制御するために必須となる制御パラメータを導出し、制御装置７に送信する。ソフトウェアタイマーアプリケーション５４ｉは、時刻を刻む。ＩＤＥ（Integrated Drive Electronics）インターフェイス５５は、ハードディスク５４を接続部５２に接続する。ＬＡＮインターフェイス９０は、第１イーサネット（登録商標）ケーブル９４ａを介してルータ６０に接続され、ルータ６０は第２イーサネット（登録商標）ケーブル９４ｂを介して無線ＬＡＮアクセスポイント１０ａ，１０ｂ，１０ｃ，・・・に通信接続される。なお、ここで、符号９４ａ，９４ｂは、図１の符号９４に対応する。
【０１１１】
次に、図５を用いて情報管理サーバ５の動作について説明する。
【０１１２】
制御部５１Ａは、図５に示されるように、メインメモリ５３に一時記憶されるプログラムを読み込み（Ｆｄ５参照）、読み込んだプログラムに従って各部５２〜５６およびルータ６０に動作を指示する（Ｆｃ１〜Ｆｃ４参照）。演算部５１Ｂは、制御部５１Ａの命令に従ってメインメモリ５３から必要なデータを取得して（Ｆｄ１参照）演算処理（例えば、算術演算処理や論理演算処理等）を行う。メインメモリ５３は、プログラムやデータ等をハードディスク５４から取得して（Ｆｄ３参照）一時記憶したり、演算部５１Ｂやルータ６０から送信されるデータ（Ｆｄ２およびＦｄ７参照）を一時記憶したりする。また、このメインメモリ５３は、制御部５１Ａの命令に応じて一時記憶しているデータ等を各部５２〜５６およびルータ６０に送信する（Ｆｄ１、Ｆｄ４、およびＦｄ６参照）。ハードディスク５４は、制御部５１Ａの命令に応じてメインメモリ５３にプログラムやデータ等を供給したり（Ｆｄ３参照）メインメモリ５３から送信されるデータ等を格納したりする（Ｆｄ４参照）。
【０１１３】
（５）無線ＬＡＮアクセスポイント
本実施の形態に係る無線ＬＡＮアクセスポイント１０ａ，１０ｂ，１０ｃ・・・は、上述したように、室内機２０ａ，２０ｂ，２０ｃに内蔵される。なお、これらの無線ＬＡＮアクセスポイント１０ａ，１０ｂ，１０ｃ・・・のアンテナ１１ａ，１１ｂ，１１ｃは、化粧パネル２４ａ，２４ｂ，２４ｃ，・・・から居室側に露出するように突出している。また、これらの無線ＬＡＮアクセスポイント１０ａ，１０ｂ，１０ｃ・・・は、イーサネット（登録商標）ケーブル９４およびルータ５０Ｂ（図２参照）を介して情報管理サーバ５に通信接続されている。
【０１１４】
（６）制御装置
本実施の形態に係る制御装置７は、図６に示されるように、主に、中央処理部７１、ＲＡＭ（Random Access Memory）７２、ＲＯＭ（Read Only Memory）７４、ＥＥＰＲＯＭ７５、Ｉ／Ｏ制御部７３、ＬＡＮ用インターフェイス７６、空気調和装置用インターフェイス７７、照明装置用インターフェイス７８、ＬＡＮケーブル用コネクタ７９、空気調和装置用コネクタ８０、および照明装置用コネクタ８１から構成されている。ここで、中央処理部７１、ＲＡＭ７２、ＲＯＭ７４、ＥＥＰＲＯＭ７５、およびＩ／Ｏ制御部７３は、例えば、マイクロコンピュータであって、相互に第１バス線８２によって接続されており、１つの集積回路を構成している。また、ＬＡＮ用インターフェイス７６、空気調和装置用インターフェイス７７、および照明装置用インターフェイス７８は、例えば、プリント回路基板等であって、第２バス線８３ａ，８３ｂ，８３ｃを介してＩ／Ｏ制御部７３に接続されている。また、ＬＡＮケーブル用コネクタ７９は、第４通信線８４を介してＬＡＮ用インターフェイス７６に接続されている。また、空気調和装置用コネクタ８０は、第５通信線８５を介して空気調和装置用インターフェイス７７に接続されている。また、照明装置用コネクタ８１は、第６通信線８６を介して照明装置用インターフェイス７８に接続されている。
【０１１５】
中央処理部７１は、主に、制御部７１Ａおよび演算部７１Ｂを有する。制御部７１Ａは、図７に示されるように、ＲＯＭ７４に記憶されている空調・照明制御プログラムを読み込み（Ｆｄ６参照）、読み込んだ空調・照明制御プログラムに従って演算部７１Ｂ、ＲＡＭ７２、ＲＯＭ７４、ＥＥＰＲＯＭ７５、およびＩ／Ｏ制御部７３に動作を指示する（Ｆｃ１〜Ｆｃ４参照）。演算部７１Ｂは、図７に示されるように、制御部７１Ａの命令に従って制御部７１Ａ、ＲＡＭ７２、ＲＯＭ７４、およびＥＥＰＲＯＭ７５から必要なデータを取得して（Ｆｄ１、Ｆｄ４、およびＦｄ７参照）演算処理（例えば、算術演算処理や論理演算処理等）を行う。また、この演算部７１Ｂは、制御部７１Ａの命令に従って、演算処理の処理結果データを制御部７１Ａに供給することができる（Ｆｄ２参照）。また、この演算部７１Ｂは、制御部７１Ａの命令に従って、演算処理の処理結果データをＲＡＭ７２やＥＥＰＲＯＭ７５に書き込むことができる（Ｆｄ３参照）。
【０１１６】
ＲＡＭ７２は、図７に示されるように、制御部７１Ａの指示に従って、各種データを制御部７１Ａに供給することができる（Ｆｄ５参照）。また、このＲＡＭ７２は、データをＩ／Ｏ制御部７３から取得して（Ｆｄ９参照）一時記憶したり、演算部７１Ｂから送信されるデータ（Ｆｄ３参照）を一時記憶したりする。また、このＲＡＭ７２は、制御部７１Ａの命令に応じて一時記憶しているデータをＩ／Ｏ制御部７３に送信する（Ｆｄ８参照）。
【０１１７】
ＲＯＭ７４は、監視制御プログラムや各種データを格納している。そして、このＲＯＭ７４は、図７に示されるように、制御部７１Ａの指示に従って、それらを制御部７１Ａに供給する（Ｆｄ６参照）。また、このＲＯＭ７４は、制御部７１Ａの指示に従って、各種データを演算部７１Ｂに供給することができる（Ｆｄ７参照）。
【０１１８】
ＥＥＰＲＯＭ７５は、電気的に書き換え可能なＲＯＭであり、空気調和装置２ａ，２ｂ，２ｃ，・・・や照明装置３ａ，３ｂ，３ｃ，・・・の監視データや情報管理サーバ５から提供される個人嗜好データなどを記憶する。
【０１１９】
Ｉ／Ｏ制御部７３は、ＬＡＮ用インターフェイス７６に着信するデータや、空気調和装置２ａ，２ｂ，２ｃ，・・・や照明装置３ａ，３ｂ，３ｃ，・・・から送信されてくる監視データ等をＲＡＭ７２へ入力したり（Ｆｄ９参照）、ＲＡＭ７２に記憶されている各種データや制御信号などを空気調和装置２ａ，２ｂ，２ｃ，・・・や照明装置３ａ，３ｂ，３ｃ，・・・に送信したりする。
【０１２０】
ＬＡＮ用インターフェイス７６、空気調和装置用インターフェイス７７、および照明装置用インターフェイス７８は、通信線８４〜８６を介してＬＡＮケーブル用コネクタ７９、空気調和装置用コネクタ８０、および照明装置用コネクタ８１に接続されており、情報管理サーバ５や、空気調和装置２ａ，２ｂ，２ｃ，・・・、照明装置３ａ，３ｂ，３ｃ，・・・から送信されてくるデータ等を受信すると同時にそれらのデータを中央処理部７１が処理可能な形式に変換したりＩ／Ｏ制御部７３から情報管理サーバ５や、空気調和装置２ａ，２ｂ，２ｃ，・・・、照明装置３ａ，３ｂ，３ｃ，・・・に出力されるデータや制御信号などを情報管理サーバ５や、空気調和装置２ａ，２ｂ，２ｃ，・・・、照明装置３ａ，３ｂ，３ｃ，・・・が処理可能な形式に変換したりする。
【０１２１】
ＬＡＮケーブル用コネクタ７９には、情報管理サーバ５から伸びるイーサネット（登録商標）ケーブル９４ｂが接続される。
【０１２２】
空気調和装置用コネクタ８０には、空気調和装置２ａ，２ｂ，２ｃ，・・・の室外機２１ａ，２１ｂ，２１ｃから伸びる第２通信線９２が接続される。
【０１２３】
照明装置用コネクタ８１には、照明装置３ａ，３ｂ，３ｃ，・・・から伸びる第１通信線９１が接続される。
【０１２４】
〔居室における空気調和装置および照明装置の配置〕
居室ＬＳは、本実施の形態において多数の人々が作業を行うオフィスであり、図８に示される居室ＬＳの上面図のように、情報管理サーバ５上において５メートル四方のセル空間１５ａ〜１５ｘに仮想的に分割されている。ここで、セル空間１５ａ〜１５ｘの大きさを５ｍ四方としたのは、室内機２０ａ〜２０ｘの空調可能範囲に基づいている。また、ここで、室内機２０ａ〜２０ｘは、セル空間１５ａ〜１５ｘのほぼ中央に位置している。また、照明装置３ａ〜３ｔは、居室ＬＳの長手方向に沿って室内機２０ａ〜２０ｘの中間付近にくるように配置されている。
【０１２５】
〔携帯型ＳＩＰフォンの位置検出と携帯型ＳＩＰフォンが存在するセル空間の特定〕
居室ＬＳは、情報管理サーバ５上で平面座標データ化されている（図８参照）。ここで、図中、符号Ｐ１で示される点は（０，０）で表されており、符号Ｐ２〜Ｐ３５で示される点は、それぞれ順に（１００，０）、（２００，０）、（３００，０）、（４００，０）、（５００，０）、（６００，０）、（０，１００）、（１００，１００）、（２００，１００）、（３００，１００）、（４００，１００）、（５００，１００）、（６００，１００）、（０，２００）、（１００，２００）、（２００，２００）、（３００，２００）、（４００，２００）、（５００，２００）、（６００，２００）、（０，３００）、（１００，３００）、（２００，３００）、（３００，３００）、（４００，３００）、（５００，３００）、（６００，３００）、（０，４００）、（１００，４００）、（２００，４００）、（３００，４００）、（４００，４００）、（５００，４００）、（６００，４００）で表されている。つまり、座標単位は、実際の居室ＬＳにおいては５ｃｍに相当することになる。
【０１２６】
そして、上述したように、情報管理サーバ５では、位置情報導出アプリケーション５４ｅにより、個人識別番号データと電波強度データとから個人識別番号データを発信している携帯型ＳＩＰフォン４ａ，４ｂ，４ｃ，・・・の座標データが導出される。そして、この座標データを平面座標データに照合して個人識別番号データを発信している携帯型ＳＩＰフォン４ａ，４ｂ，４ｃ，・・・、つまり人の存在するセル空間１５ａ〜１５ｘを特定する。例えば、位置情報導出アプリケーション５４ｅにより導出された座標が（３２５，２５２）であれば、携帯型ＳＩＰフォン４ａ，４ｂ，４ｃ，・・・、つまり人が符号１５ｊのセル空間に存在すると判断される。
【０１２７】
〔空気調和装置および照明装置とセル空間との対応関係〕
空気調和装置２ａ〜２ｘおよび照明装置３ａ〜３ｔとセル空間１５ａ〜１５ｚとの対応関係は、設備対応関係データベース５４ｈとして情報管理サーバ５に記憶されている。設備対応関係データベース５４ｈでは、空気調和装置２ａ〜２ｘおよび照明装置３ａ〜３ｔのアドレスデータとセル空間１５ａ〜１５ｘとが関係づけられている。なお、本実施の形態において、空気調和装置２ａ〜２ｘは、室内機２０ａ〜２０ｘが設置されているセル空間１５ａ〜１５ｘに対応づけられている。また、照明装置３ａ〜３ｔは、図８において向かって左側のセル空間１５ａ〜１５ｘに対応づけられている。例えば、符号３ｍで示される照明装置は、符号１５ｏで示されるセル空間に対応づけられている。
【０１２８】
〔セル型空調・照明制御システムの制御内容〕
（１）温湿度制御
携帯型ＳＩＰフォン４ａ，４ｂ，４ｃ，・・・が存在していなかったセル空間１５ａ〜１５ｘにおいて携帯型ＳＩＰフォン４ａ，４ｂ，４ｃ，・・・の存在が検出されると、情報管理サーバ５において、図９に示されるフローチャートに従ってそのセル空間１５ａ〜１５ｘの温湿度制御が行われる。
【０１２９】
図９において、ステップＳ１では、情報管理サーバ５が、携帯型ＳＩＰフォン４ａ，４ｂ，４ｃ，・・・の存在が検出されたセル空間１５ａ〜１５ｘに対応する空気調和装置２ａ〜２ｘのアドレスデータを設備対応関係データベース５４ｈから抽出する。ステップＳ２では、情報管理サーバ５が、制御装置７に対して、携帯型ＳＩＰフォン４ａ，４ｂ，４ｃ，・・・の存在が検出されたセル空間１５ａ〜１５ｘに対応する空気調和装置２ａ〜２ｘのアドレスデータを送信し、その空気調和装置２ａ〜２ｘの運転モードデータを要求する。ステップＳ３では、情報管理サーバ５が、制御装置７からその空気調和装置２ａ〜２ｘの運転モードデータを受信する。ステップＳ４では、情報管理サーバ５が、受信した運転モードデータが冷房モードデータであるか、暖房モードデータであるか、あるいはその他の運転モードデータであるかを判定する。ステップＳ４において情報管理サーバ５が、受信した運転モードデータが冷房モードデータであると判定した場合、処理はステップＳ５に移る。ステップＳ４において情報管理サーバ５が、受信した運転モードデータが暖房モードデータであると判定した場合、処理はステップＳ８に移る。ステップＳ４において情報管理サーバ５が、受信した運転モードデータがその他の運転モードデータであると判定した場合、処理は終了される。ステップＳ５では、情報管理サーバ５が、携帯型ＳＩＰフォン４ａ，４ｂ，４ｃ，・・・から発信されている個人識別番号データに対応する冷房時希望設定温度データおよび冷房時希望設定湿度データ（以下、冷房時希望設定温湿度データと略する）を個人情報データベース５４ｄから抽出する。ステップＳ６では、情報管理サーバ５が、ステップＳ１において抽出された空気調和装置２ａ〜２ｘのアドレスデータ、ステップＳ５において抽出された冷房時希望設定温湿度データ、および温湿度制御の実行指令信号を制御装置７に送信する。ステップＳ７では、制御装置７が、受信したアドレスデータに対応する空気調和装置２ａ〜２ｘに対して、設定温度を冷房時希望設定温度データと等しくするための制御信号と、設定湿度を冷房時希望設定湿度と等しくするための制御信号とを送信する。ステップＳ８では、情報管理サーバ５が、携帯型ＳＩＰフォン４ａ，４ｂ，４ｃ，・・・から発信されている個人識別番号データに対応する暖房時希望設定温度データおよび暖房時希望設定湿度データ（以下、暖房時希望設定温湿度データと略する）を個人情報データベース５４ｄから抽出する。ステップＳ９では、情報管理サーバ５が、ステップＳ１において抽出された空気調和装置２ａ〜２ｘのアドレスデータ、ステップＳ５において抽出された暖房時希望設定温湿度データ、および温湿度制御の実行指令信号を制御装置７に送信する。ステップＳ１０では、制御装置７が、受信したアドレスデータに対応する空気調和装置２ａ〜２ｘに対して、設定温度を暖房時希望設定温度と等しくするための制御信号と、設定湿度を暖房時希望設定湿度と等しくするための制御信号とを送信する。
【０１３０】
なお、情報管理サーバ５において、セル空間１５ａ〜１５ｘに複数の携帯型ＳＩＰフォン４ａ，４ｂ，４ｃ，・・・が検出されると、図１０に示されるフローチャートに従って空気調和装置２ａ〜２ｘの設定温度および設定湿度が決定される。
【０１３１】
図１０において、ステップＳ２１では、情報管理サーバ５が、複数の携帯型ＳＩＰフォン４ａ，４ｂ，４ｃ，・・・それぞれから発信されている個人識別番号データに対応する重み付け係数データと冷房時希望設定温湿度データまたは暖房時希望設定温湿度データとを個人情報データベース５４ｄから抽出する。なお、ステップＳ２１において冷房時希望設定温湿度データが抽出されるか暖房時希望設定温湿度データが抽出されるかについては、図９に示されるフローチャートと同様の理屈で決定される。ステップＳ２２では、情報管理サーバ５が、演算部５１Ｂにおいて、冷房時希望設定温湿度または暖房時希望設定温湿度を、重み付け係数を用いて重み付け平均する。例えば、個人識別番号データ１００５０１を発信する携帯型ＳＩＰフォン４ａ，４ｂ，４ｃ，・・・を携帯する人と、個人識別番号１００５７５を発信する携帯型ＳＩＰフォン４ａ，４ｂ，４ｃ，・・・を携帯する人とが同じセル空間１５ａ〜１５ｘに存在する場合であれば、冷房時希望設定温度の重み付け平均の結果は、（８ｘ２８．０＋１ｘ２９．０）／（８＋１）＝２８．１となる。ステップＳ２３では、情報管理サーバ５が、演算部５１Ｂにおいて、ステップＳ２２において求められた数値を丸める。なお、希望設定温度の重み付け平均値を丸める場合は、０．５℃単位で丸める。上記の例であれば、２８．５℃よりも２８．０℃の方が近いので、その値は２８．０℃とされる。また、希望設定湿度の重み付け平均値を丸める場合は、１％単位で丸める。ステップＳ２４では、情報管理サーバ５が、複数の携帯型ＳＩＰフォン４ａ，４ｂ，４ｃ，・・・の存在が検出されたセル空間１５ａ〜１５ｘに対応する空気調和装置２ａ〜２ｘのアドレスデータ、ステップＳ２３において出力された重み付け平均値データ、および温湿度制御の実行指令信号を制御装置７に送信する。ステップＳ２５では、制御装置７が、受信したアドレスデータに対応する空気調和装置２ａ〜２ｘに対して、設定温度を重み付け平均値と等しくするための制御信号を送信する。
【０１３２】
（２）換気制御
本実施の形態に係る空調・照明制御システム１では、１時間おきに、図１１に示されるフローチャートに従って換気制御が行われる。
【０１３３】
図１１において、ステップＳ３１では、情報管理サーバ５が、セル空間１５ａ〜１５ｘごとに、いずれの携帯型ＳＩＰフォン４ａ，４ｂ，４ｃ，・・・が存在するかを確認する。ステップＳ３２では、情報管理サーバ５が、セル空間１５ａ〜１５ｘごとに、携帯型ＳＩＰフォン４ａ，４ｂ，４ｃ，・・・から発信されている個人識別番号データに対応する二酸化炭素排出量データを個人情報データベース５４ｄから抽出する。ステップＳ３３では、情報管理サーバ５が、演算部５１Ｂにおいて、セル空間１５ａ〜１５ｘごとに、二酸化炭素排出量の総和を算出する。なお、このとき、携帯型ＳＩＰフォン４ａ，４ｂ，４ｃ，・・・が存在しないセル空間１５ａ〜１５ｘについては、その総和は０となる。また、携帯型ＳＩＰフォン４ａ，４ｂ，４ｃ，・・・が１台しか存在しないセル空間１５ａ〜１５ｘについては、その二酸化炭素排出量がそのまま総和とみなされる。ステップＳ３４では、情報管理サーバ５が、各セル空間１５ａ〜１５ｘに対応する空気調和装置２ａ〜２ｘのアドレスデータ、各セル空間１５ａ〜１５ｘについて算出された総和値のデータ、および換気制御の実行指令信号を制御装置７に送信する。ステップＳ３５では、制御装置７が、各アドレスに対応する空気調和装置２ａ〜２ｘに対して、換気量を総和値と等しくするための制御信号を送信する。なお、これらの制御信号が各空気調和装置２ａ〜２ｘにおいて受信された場合、各空気調和装置２ａ〜２ｘでは、外気導入管のダンパ（図示せず）の開度が調節される。また、総和値が０である場合、このダンパはもちろん閉状態となる。
【０１３４】
（３）照度制御
携帯型ＳＩＰフォン４ａ，４ｂ，４ｃ，・・・が存在していなかったセル空間１５ａ〜１５ｘにおいて携帯型ＳＩＰフォン４ａ，４ｂ，４ｃ，・・・の存在が検出されると、情報管理サーバ５において、図１２に示されるフローチャートに従ってそのセル空間１５ａ〜１５ｘの照度制御が行われる。
【０１３５】
図１２において、ステップＳ４１では、情報管理サーバ５が、携帯型ＳＩＰフォン４ａ，４ｂ，４ｃ，・・・の存在が検出されたセル空間１５ａ〜１５ｘに対応する照明装置３ａ〜３ｔのアドレスデータを設備対応関係データベース５４ｈから抽出する。ステップＳ４２では、情報管理サーバ５が、携帯型ＳＩＰフォン４ａ，４ｂ，４ｃ，・・・から発信されている個人識別番号データに対応する希望設定照度データを個人情報データベース５４ｄから抽出する。ステップＳ４３では、情報管理サーバ５が、ステップＳ４１において抽出された照明装置３ａ〜３ｔのアドレスデータ、ステップＳ４２において抽出された希望設定照度データ、および照度制御の実行指令信号を制御装置７に送信する。ステップＳ４４では、制御装置７が、受信したアドレスデータに対応する照明装置３ａ〜３ｔに対して、設定照度を希望設定照度データと等しくするための制御信号を送信する。
【０１３６】
なお、情報管理サーバ５において、セル空間１５ａ〜１５ｘに複数の携帯型ＳＩＰフォン４ａ，４ｂ，４ｃ，・・・が検出されると、図１３に示されるフローチャートに従って照明装置３ａ〜３ｔの設定照度が決定される。
【０１３７】
図１３において、ステップＳ５１では、情報管理サーバ５が、複数の携帯型ＳＩＰフォン４ａ，４ｂ，４ｃ，・・・それぞれから発信されている個人識別番号データに対応する重み付け係数データと希望設定照度データとを個人情報データベース５４ｄから抽出する。ステップＳ５２では、情報管理サーバ５が、演算部５１Ｂにおいて、希望設定照度を、重み付け係数を用いて重み付け平均する。例えば、個人識別番号データ１００５０１を発信する携帯型ＳＩＰフォン４ａ，４ｂ，４ｃ，・・・を携帯する人と、個人識別番号１００５７５を発信する携帯型ＳＩＰフォン４ａ，４ｂ，４ｃ，・・・を携帯する人とが同じセル空間１５ａ〜１５ｘに存在する場合であれば、希望設定照度の重み付け平均の結果は、（８ｘ５１０＋１ｘ５３０）／（８＋１）＝５１２となる。ステップＳ５３では、情報管理サーバ５が、複数の携帯型ＳＩＰフォン４ａ，４ｂ，４ｃ，・・・の存在が検出されたセル空間１５ａ〜１５ｘに対応する照明装置３ａ〜３ｔのアドレスデータ、ステップＳ５２において出力された重み付け平均値データ、および照度制御の実行指令信号を制御装置７に送信する。ステップＳ５４では、制御装置７が、受信したアドレスデータに対応する照明装置３ａ〜３ｔに対して、設定照度を重み付け平均値と等しくするための制御信号を送信する。
【０１３８】
（４）省エネルギー空調制御
携帯型ＳＩＰフォン４ａ，４ｂ，４ｃ，・・・が存在していたセル空間１５ａ〜１５ｘにおいて携帯型ＳＩＰフォン４ａ，４ｂ，４ｃ，・・・の存在が検出されなくなると、情報管理サーバ５において、図１４〜図１７に示されるフローチャートに従ってそのセル空間１５ａ〜１５ｘの省エネルギー空調制御が行われる。
【０１３９】
図１４〜図１７において、ステップＳ６１では、情報管理サーバ５が、携帯型ＳＩＰフォン４ａ，４ｂ，４ｃ，・・・の存在が検出されなくなったセル空間１５ａ〜１５ｘに対応する空気調和装置２ａ〜２ｘのアドレスデータと、そのセル空間１５ａ〜１５ｘに隣接するセル空間１５ａ〜１５ｘに対応する空気調和装置２ａ〜２ｘのアドレスデータとを設備対応関係データベース５４ｈから抽出する。ステップＳ６２では、情報管理サーバ５が、制御装置７に対して、携帯型ＳＩＰフォン４ａ，４ｂ，４ｃ，・・・の存在が検出されなくなったセル空間１５ａ〜１５ｘに隣接するセル空間１５ａ〜１５ｘに対応する空気調和装置２ａ〜２ｘのアドレスデータを送信し、それらの空気調和装置２ａ〜２ｘの運転モードデータを要求する。ステップＳ６３では、情報管理サーバ５が、制御装置７からそれらの空気調和装置２ａ〜２ｘの運転モードデータを受信する。ステップＳ６４では、情報管理サーバ５が、受信した複数の運転モードデータの中に冷房モードデータが含まれるか否かについて判定する。ステップＳ６４において情報管理サーバ５が、受信した運転モードデータの中に冷房モードデータが含まれると判定した場合、処理はステップＳ６５に移る。ステップＳ６４において情報管理サーバ５が、受信した運転モードデータの中に冷房モードデータが含まれないと判定した場合、処理はステップＳ６６に移る。ステップＳ６５では、情報管理サーバ５が、受信した複数の運転モードデータの中に暖房モードデータが含まれるか否かについて判定する。ステップＳ６５において情報管理サーバ５が、受信した運転モードデータの中に暖房モードデータが含まれると判定した場合、処理はステップＳ６７に移る。ステップＳ６５において情報管理サーバ５が、受信した運転モードデータの中に暖房モードデータが含まれないと判定した場合、処理はステップＳ６９に移る。ステップＳ６６では、情報管理サーバ５が、受信した複数の運転モードデータの中に暖房モードデータが含まれるか否かについて判定する。ステップＳ６６において情報管理サーバ５が、受信した運転モードデータの中に暖房モードデータが含まれると判定した場合、処理はステップＳ７１に移る。ステップＳ６５において情報管理サーバ５が、受信した運転モードデータの中に暖房モードデータが含まれないと判定した場合、処理はステップＳ６７に移る。ステップＳ６７では、情報管理サーバ５が、携帯型ＳＩＰフォン４ａ，４ｂ，４ｃ，・・・の存在が検出されなくなったセル空間１５ａ〜１５ｘに対応する空気調和装置２ａ〜２ｘのアドレスデータおよびアイドリングモード実行指令信号を制御装置７に送信する。なお、ここにいう「アイドリングモード」とは、室外機２１ａ，２１ｂ，２１ｃ，・・・の圧縮機の運転周波数が最低となるように制御するとともに室内機２０ａ，２０ｂ，２０ｃ，・・・の室内ファンを停止させる運転モードのことである。ステップＳ６８では、制御装置７が、受信したアドレスデータに対応する空気調和装置２ａ〜２ｘに対して、アイドリングモード実行信号を送信する。ステップＳ６９では、情報管理サーバ５が、携帯型ＳＩＰフォン４ａ，４ｂ，４ｃ，・・・の存在が検出されなくなったセル空間１５ａ〜１５ｘに対応する空気調和装置２ａ〜２ｘのアドレスデータおよびセービング冷房モード実行指令信号を制御装置７に送信する。なお、ここにいう「セービング冷房モード」とは、室外機２１ａ，２１ｂ，２１ｃ，・・・の圧縮機の運転周波数を最大周波数の１／４となるように制御するとともに室内機２０ａ，２０ｂ，２０ｃ，・・・の室内ファンを最低回転速度で回転させる冷房運転モードのことである。ステップＳ６８では、制御装置７が、受信したアドレスデータに対応する空気調和装置２ａ〜２ｘに対して、セービング冷房モード実行信号を送信する。ステップＳ７１では、情報管理サーバ５が、携帯型ＳＩＰフォン４ａ，４ｂ，４ｃ，・・・の存在が検出されなくなったセル空間１５ａ〜１５ｘに対応する空気調和装置２ａ〜２ｘのアドレスデータおよびセービング暖房モード実行指令信号を制御装置７に送信する。なお、ここにいう「セービング暖房モード」とは、室外機２１ａ，２１ｂ，２１ｃ，・・・の圧縮機の運転周波数を最大周波数の１／４となるように制御するとともに室内機２０ａ，２０ｂ，２０ｃ，・・・の室内ファンを最低回転速度で回転させる暖房運転モードのことである。ステップＳ７２では、制御装置７が、受信したアドレスデータに対応する空気調和装置２ａ〜２ｘに対して、セービング暖房モード実行信号を送信する。
【０１４０】
（５）省エネルギー照明制御
携帯型ＳＩＰフォン４ａ，４ｂ，４ｃ，・・・が存在していたセル空間１５ａ〜１５ｘにおいて携帯型ＳＩＰフォン４ａ，４ｂ，４ｃ，・・・の存在が検出されなくなると、情報管理サーバ５において、図１８に示されるフローチャートに従ってそのセル空間１５ａ〜１５ｘの省エネルギー照明制御が行われる。
【０１４１】
図１８において、ステップＳ８１では、情報管理サーバ５が、携帯型ＳＩＰフォン４ａ，４ｂ，４ｃ，・・・の存在が検出されなくなったセル空間１５ａ〜１５ｘに対応する照明装置３ａ〜３ｔのアドレスデータと、そのセル空間１５ａ〜１５ｘに隣接するセル空間１５ａ〜１５ｘに対応する照明装置３ａ〜３ｔのアドレスデータとを設備対応関係データベース５４ｈから抽出する。ステップＳ８２では、情報管理サーバ５が、制御装置７に対して、携帯型ＳＩＰフォン４ａ，４ｂ，４ｃ，・・・の存在が検出されなくなったセル空間１５ａ〜１５ｘに隣接するセル空間１５ａ〜１５ｘに対応する照明装置３ａ〜３ｔのアドレスデータを送信し、それらの照明装置３ａ〜３ｔの点灯／消灯状態データを要求する。ステップＳ８３では、情報管理サーバ５が、制御装置７からそれらの照明装置３ａ〜３ｔの点灯／消灯状態データを受信する。ステップＳ８４では、情報管理サーバ５が、受信した複数の点灯／消灯状態データの中に通常点灯状態データが含まれるか否かについて判定する。なお、ここにいう「通常点灯」とは、照度が５００ルクス以上の点灯を意味する。ステップＳ８４において情報管理サーバ５が、受信した点灯／消灯状態データの中に通常点灯状態データが含まれると判定した場合、処理はステップＳ８５に移る。ステップＳ８４において情報管理サーバ５が、受信した点灯／消灯状態データの中に通常点灯状態データが含まれないと判定した場合、処理はステップＳ８６に移る。ステップＳ８５では、情報管理サーバ５が、携帯型ＳＩＰフォン４ａ，４ｂ，４ｃ，・・・の存在が検出されなくなったセル空間１５ａ〜１５ｘに対応する空気調和装置２ａ〜２ｘのアドレスデータおよびセービング照明モード実行指令信号を制御装置７に送信する。なお、ここにいう「セービング照明モード」とは、照度を３００ルクスに固定する照明モードのことである。ステップＳ８６では、制御装置７が、受信したアドレスデータに対応する照明装置３ａ〜３ｔに対して、セービング照明モード実行信号を送信する。ステップＳ８７では、情報管理サーバ５が、携帯型ＳＩＰフォン４ａ，４ｂ，４ｃ，・・・の存在が検出されなくなったセル空間１５ａ〜１５ｘに対応する照明装置３ａ〜３ｔのアドレスデータおよび消灯指令信号を制御装置７に送信する。ステップＳ８８では、制御装置７が、受信したアドレスデータに対応する照明装置３ａ〜３ｔに対して、消灯指令信号を送信する。
【０１４２】
〔セル型空調・照明制御システムの特徴〕
（１）
本実施の形態に係る空調・照明制御システム１では、位置情報導出アプリケーション５４ｅにより、個人識別番号データと電波強度データとから個人識別番号データを発信している携帯型ＳＩＰフォン４ａ，４ｂ，４ｃ，・・・の座標データが導出される。そして、この座標データを平面座標データに照合して個人識別番号データを発信している携帯型ＳＩＰフォン４ａ，４ｂ，４ｃ，・・・、つまり人の存在するセル空間１５ａ〜１５ｘを特定する。また、設備対応関係データベース５４ｈでは、空気調和装置２ａ〜２ｘおよび照明装置３ａ〜３ｔのアドレスデータとセル空間１５ａ〜１５ｘとが関係づけられている。また、個人情報データベース５４ｄには、図４に示されるように、個人識別番号データに対して、重み付け係数データ、ならびに冷房時希望設定温度データ、暖房時希望設定温度データ、冷房時希望設定湿度データ、暖房時希望設定湿度データ、二酸化炭素排出量データ、および希望設定照度データなどの個人嗜好データが関連づけられた上で蓄積されている。そして、制御装置７が、携帯型ＳＩＰフォン４ａ，４ｂ，４ｃ，・・・が存在するセル空間１５ａ〜１５ｘに対応する空気調和装置２ａ〜２ｘや照明装置３ａ〜３ｔに対して個人嗜好データを利用した種々の制御を実行する。このため、この空調・照明制御システム１では、セル空間１５ａ〜１５ｘにおいて人間などの嗜好に応じて空気調和装置２ａ〜２ｘや照明装置３ａ〜３ｔの制御を行うことができる。したがって、この空調・照明制御システム１では、居室ＬＳに存在する人間の快適性を高めることができる。
【０１４３】
（２）
本実施の形態に係る空調・照明制御システム１では、セル空間１５ａ〜１５ｘに複数の携帯型ＳＩＰフォン４ａ，４ｂ，４ｃ，・・・が存在している場合、情報管理サーバ５が、重み付け係数を利用して空気調和装置２ａ〜２ｘの設定温度や照明装置３ａ〜３ｔの照度を決定する。このため、この空調・照明制御システム１では、例えば、知的生産性の高い人や虚弱な人などに対して優先的に快適空間を提供することができ、組織全体の知的生産性の向上や虚弱者の健康保護などを図ることが可能となる。
【０１４４】
（３）
本実施の形態に係る空調・照明制御システム１では、セル空間１５ａ〜１５ｘに複数の携帯型ＳＩＰフォン４ａ，４ｂ，４ｃ，・・・が存在している場合、情報管理サーバ５が、複数の携帯型ＳＩＰフォン４ａ，４ｂ，４ｃ，・・・から発信される個人識別番号データに対応する二酸化炭素排出量の総和に基づいて換気制御を行う。このため、この空調・照明制御システム１では、二酸化炭素センサを設けることなく低コストで換気制御を行うことができる。
【０１４５】
（４）
本実施の形態に係る空調・照明制御システム１では、携帯型ＳＩＰフォン４ａ，４ｂ，４ｃ，・・・が存在していたセル空間１５ａ〜１５ｘにおいて携帯型ＳＩＰフォン４ａ，４ｂ，４ｃ，・・・の存在が検出されなくなると、携帯型ＳＩＰフォン４ａ，４ｂ，４ｃ，・・・の存在が検出されなくなったセル空間１５ａ〜１５ｘに隣接するセル空間１５ａ〜１５ｘに対応する空気調和装置２ａ〜２ｘの運転モードを参照して、携帯型ＳＩＰフォン４ａ，４ｂ，４ｃ，・・・の存在が検出されなくなったセル空間１５ａ〜１５ｘに対応する空気調和装置２ａ〜２ｘをアイドリングモードとするか、セービング冷房モードとするか、セービング暖房モードとするかを決定する。このため、この空調・照明制御システム１では、居室ＬＳ全体を均一に制御するのに比べて消費エネルギーを低減することが可能となるとともに、携帯型ＳＩＰフォン４ａ，４ｂ，４ｃ，・・・の存在が検出されなくなったセル空間１５ａ〜１５ｘに隣接するセル空間１５ａ〜１５ｘに存在するであろう人の快適性を著しく下げることを抑制することができる。また、この空調・照明制御システム１では、携帯型ＳＩＰフォン４ａ，４ｂ，４ｃ，・・・の存在が検出されなくなったセル空間１５ａ〜１５ｘに隣接するセル空間１５ａ〜１５ｘに携帯型ＳＩＰフォン４ａ，４ｂ，４ｃ，・・・、つまり人が存在しない場合であっても圧縮機を停止させないので、圧縮機の寿命を延ばすことができる。
【０１４６】
（５）
本実施の形態に係る空調・照明制御システム１では、携帯型ＳＩＰフォン４ａ，４ｂ，４ｃ，・・・が存在していたセル空間１５ａ〜１５ｘにおいて携帯型ＳＩＰフォン４ａ，４ｂ，４ｃ，・・・の存在が検出されなくなると、携帯型ＳＩＰフォン４ａ，４ｂ，４ｃ，・・・の存在が検出されなくなったセル空間１５ａ〜１５ｘに隣接するセル空間１５ａ〜１５ｘに対応する照明装置３ａ〜３ｔの点灯／消灯状態を参照して、携帯型ＳＩＰフォン４ａ，４ｂ，４ｃ，・・・の存在が検出されなくなったセル空間１５ａ〜１５ｘに対応する照明装置３ａ〜３ｔをセービング照明モードとするか、消灯するかを決定する。このため、この空調・照明制御システム１では、居室ＬＳ全体を均一に制御するのに比べて消費エネルギーを低減することが可能となるとともに、携帯型ＳＩＰフォン４ａ，４ｂ，４ｃ，・・・の存在が検出されなくなったセル空間１５ａ〜１５ｘに隣接するセル空間１５ａ〜１５ｘに存在するであろう人の快適性を著しく下げることを抑制することができる。
【０１４７】
＜第２実施の形態＞
〔セル型空調・照明制御システム〕
このセル型空調・照明制御システム１００は、図２１に示されるように、主に、空気調和装置２ａ，２ｂ，２ｃ，・・・、照明装置３ａ，３ｂ，３ｃ，・・・、携帯型ＳＩＰフォン４ａ，４ｂ，４ｃ，・・・、情報管理サーバ１０５、無線ＬＡＮアクセスポイント１０ａ，１０ｂ，１０ｃ・・・、制御装置７、および入退室ゲート２００から構成されている。以下、このセル型空調・照明制御システム１００の導入された居室ＬＳ２について説明した後、第１実施形態との差異を中心にして、各構成要素について詳述する。
【０１４８】
（１）居室
居室ＬＳ２は、図２６に示されるように、複数のセル空間２１５ａ〜２１５ｊから構成されている。各セル空間２１５ａ〜２１５ｊは、空気調和装置２ａ〜２ｊの各室内機２０ａ〜２０ｊおよび各照明装置３ａ〜３ｊにそれぞれ１対１で対応しており、各室内機２０ａ〜２０ｊは、対応するセル空間２１５ａ〜２１５ｊを空気調和し、各照明装置３ａ〜３ｊは、対応するセル空間２１５ａ〜２１５ｊを照明する。この居室ＬＳ２は、本実施の形態においてはオフィスであり、セル空間２１５ａ〜２１５ｄは全体として事務所を形成しており、セル空間２１５ｅ，２１５ｆは全体として廊下を形成しており、セル空間２１５ｇは会議室Ａを形成しており、セル空間２１５ｈ，２１５ｉは全体として会議室Ｂを形成しており、セル空間２１５ｊは会議室Ｃを形成している。すなわち、セル空間２１５ａ〜２１５ｊは、居室ＬＳ２が壁により物理的に、あるいは仮想的に仕切られることにより規定される空間である。なお、図２６において、実線は壁による仕切りを示しており、二点鎖線は仮想的な仕切りを示している。そして、セル空間２１５ａ〜２１５ｄにより形成される事務所には、このオフィスで働く各従業者に個別の座席が用意されている。セル空間２１５ｅ内の居室ＬＳ２の出入り口付近には、入退室ゲート２００が設置されている。
【０１４９】
（２）情報管理サーバ
本実施の形態に係る情報管理サーバ１０５は、図２２に示されるように、ハードディスク５４の代替としてハードディスク１５４が設けられている点を除いて、第１実施の形態に係る情報管理サーバ５と同様のハードウェア構成を有している。
【０１５０】
ハードディスク１５４には、図２３に示されるように、オペレーティングシステム５４ａ、デバイスドライバ５４ｂ、データベースアプリケーション５４ｃ、位置情報導出アプリケーション５４ｅ、制御パラメータ導出アプリケーション５４ｇ、ソフトウェアタイマーアプリケーション５４ｉ、在室者管理アプリケーション１５４ａおよび位置情報推定アプリケーション１５４ｂといったプログラムや、居室ＬＳ２の平面座標データ１５４ｆ、設備対応関係データベース５４ｈ、個人情報データベース５４ｄ、位置情報履歴データベース１５４ｃおよび在室者情報データベース１５４ｄ等が格納されている。
【０１５１】
在室者情報データベース１５４ｄには、図２４に示されるように、各データを識別するために付されるＩＤ番号に対して、個人識別番号データ、在室状況フラグデータ、入室日付データ、入室時刻データ、退室日付データ、および退室時刻データなどが互いに関連づけられたレコードが蓄積されている。
【０１５２】
在室者管理アプリケーション１５４ａは、入退室ゲート２００からＬＡＮ（local Area Network）１９５を介して送られてくる情報に基づいて、在室者情報データベース１５４ｄに新規に格納されるレコードを作成したり、現在格納されているレコードに変更を加えたりするためのアプリケーションである。このレコードは、ある従業者が入退室ゲート２００に予め配布されている認証カードをかざすことにより認証されて居室ＬＳ２内に入ってきたときに新規に作成されることになるが、個人識別番号データとしては認証カードから読み取られたその従業者を識別する個人識別番号が記録され、入室日付データ及び入室時刻データとしてはその入室日時が記録され、在室状況フラグデータとしては在室していることを示す「１」が記録され、退室日付データ及び退室時刻データとしては「ＮＵＬＬ」が記録される。そして、その後、その従業者が入室時と同様の方法で入退室ゲート２００を通り抜けて居室ＬＳ２内から外へ出たときには、その日時が退室日付データ及び退室時刻データとして記録されるとともに、在室状況フラグデータが「０」に変更される。このように、在室者管理アプリケーション１５４ａは、居室ＬＳ２内の在室者に関する情報の管理を行っている。なお、本実施の形態においては、従業者以外の者が入退室ゲート２００を出入りする場合には、その者に来客用の認証カードが配布されることになる。来客用の認証カードにおいては、個人識別番号データとしてその者が来客者であることを示す「ｇｕｅｓｔ」が記憶されている。
【０１５３】
位置情報履歴データベース１５４ｃには、図２５に示されるように、各データを識別するために付されるＩＤ番号に対して、個人識別番号データ、セル空間ＩＤデータ、日付データ、および時刻データなどが互いに関連づけられたレコードが蓄積されている。位置情報導出アプリケーション５４ｅは、無線ＬＡＮアクセスポイント１０ａ〜１０ｊからＬＡＮ１９５（無線ＬＡＮを含む）を介して定期的に（例えば、１分毎に）送信されてくる個人識別番号データと電波強度データとに基づいて、逐次、その個人識別番号データを発信している携帯型ＳＩＰフォン４ａ，４ｂ，４ｃ，・・・が複数のセル空間２１５ａ〜２１５ｊのうちいずれのセル空間２１５ａ〜２１５ｊに存在しているかを示す位置情報を導出する。そして、位置情報導出アプリケーション５４ｅは、その導出された位置情報と、無線ＬＡＮアクセスポイント１０ａ〜１０ｊから送られてきた個人識別番号データと、無線ＬＡＮアクセスポイント１０ａ〜１０ｊから個人識別番号データ等が送られてきた日時データとに基づいて、位置情報履歴データベース１５４ｃに格納すべきレコードを新規に作成してゆく。
【０１５４】
位置情報推定アプリケーション１５４ｂは、携帯型ＳＩＰフォン４ａ，４ｂ，４ｃ，・・・を所持していないか又は携帯型ＳＩＰフォン４ａ，４ｂ，４ｃ，・・・に電源が投入されていないために無線ＬＡＮアクセスポイント１０ａ〜１０ｊにおいてその存在が検出されない在室者について、その在室者が複数のセル空間２１５ａ〜２１５ｊのうちいずれのセル空間２１５ａ〜２１５ｊに存在しているかを示す位置情報を推定して導出するためのアプリケーションである。
【０１５５】
（３）入退室ゲート
本実施の形態に係る入退室ゲート２００は、居室ＬＳ２の出入り口付近に設置されている。この入退室ゲート２００には、居室ＬＳ２内で働く従業者や来客者などに配布される認証カードを読み取り可能なカードリーダが備え付けられており、このカードリーダに認証カードがかざされることにより入退室者が認証され、その結果に応じてゲートが開くようになっている。また、この入退室ゲート２００は、ＬＡＮ１９５を介して情報管理サーバ１０５に接続されている。そして、入退室者が認証されて入退室ゲート２００の通り抜けを許可された場合には、その認証の際にカードリーダを介して認証カードから読み取られたその入退室者の個人識別番号データとその入退室日時とが、逐次、入退室ゲート２００からＬＡＮ１９５を介して情報管理サーバ１０５に送信されることになる。
【０１５６】
〔携帯型ＳＩＰフォンの位置検出と携帯型ＳＩＰフォンが存在するセル空間の特定〕
居室ＬＳ２は、第１実施の形態の場合と同様に、情報管理サーバ１０５上で平面座標データ１５４ｆ化されている。また、この平面座標データ１５４ｆには、居室ＬＳ２内で働く従業者の座席の配置に関する情報が含まれている。そして、情報管理サーバ１０５では、位置情報導出アプリケーション５４ｅにより、個人識別番号データと電波強度データとを発信している携帯型ＳＩＰフォン４ａ，４ｂ，４ｃ，・・・の座標データが導出される。続いて、情報管理サーバ１０５では、導出された座標データが平面座標データ１５４ｆと照合されることにより、個人識別番号データを発信している携帯型ＳＩＰフォン４ａ，４ｂ，４ｃ，・・・の存在するセル空間２１５ａ〜２１５ｊ、すなわち、その携帯型ＳＩＰフォン４ａ，４ｂ，４ｃ，・・・を所持している者の存在するセル空間２１５ａ〜２１５ｊが特定される。
【０１５７】
〔空気調和装置および照明装置とセル空間との対応関係〕
空気調和装置２ａ〜２ｊおよび照明装置３ａ〜３ｊとセル空間２１５ａ〜２１５ｊとの対応関係を示す情報は、第１実施の形態の場合と同様に、情報管理サーバ１０５の設備対応関係データベース５４ｈに記憶されている。なお、本実施の形態においては、空気調和装置２ａ〜２ｊは、室内機２０ａ〜２０ｊが設置されているセル空間２１５ａ〜２１５ｊにそれぞれ対応づけられており、照明装置３ａ〜３ｊも、セル空間２１５ａ〜２１５ｊにそれぞれ対応づけられている。
【０１５８】
〔セル型空調・照明制御システムの制御内容〕
情報管理サーバ１０５では、図２７に示されるフローチャートに係る処理が所定の間隔（例えば、５分毎）で繰り返される。この処理は、後述する処理Ａ〜Ｄのうち、いずれの処理によって空気調和装置２ａ〜２ｊおよび照明装置３ａ〜３ｊについての温湿度制御、換気制御、照度制御、省エネルギー空調制御および省エネルギー照明制御を行うのかを選択するための処理である。
【０１５９】
ステップＳ１０１では、情報管理サーバ１０５は、入退室ゲート２００が正常に動作していない等の理由で人の入退室に関する情報を正常に取得できない状態になっていないか否かについて判定する。そして、情報管理サーバ１０５は、人の入退室に関する情報を正常に取得できる状態にあると判定した場合には、フローをステップＳ１０２に進め、人の入退室に関する情報を正常に取得できる状態にないと判定した場合には、処理Ｄを選択することを決定する。
【０１６０】
ステップＳ１０２では、情報管理サーバ１０５は、居室ＬＳ２内に電源が投入された状態の携帯型ＳＩＰフォン４ａ，４ｂ，４ｃ，・・・を所持していない者が存在しているか否かについて判定する。具体的には、情報管理サーバ１０５は、在室者情報データベース１５４ｄにおいて在室状況フラグデータの値が「１」となっているレコード数をカウントすることにより、居室ＬＳ２内における現在の在室者の総数（以下、総在室者数）を導出する。また、情報管理サーバ１０５は、位置情報履歴データベース１５４ｃを参照して、現在居室ＬＳ２内において電源が投入された状態の携帯型ＳＩＰフォン４ａ，４ｂ，４ｃ，・・・を所持している者の総数（以下、携帯所持者数）を導出する。そして、情報管理サーバ１０５は、総在室者数と携帯所持者数を比較してこれらの値が一致した場合には、処理Ａを選択することとし、総在室者数が携帯所持者数を上回っている場合には、フローをステップＳ１０３に進める。
【０１６１】
ステップＳ１０３では、情報管理サーバ１０５は、居室ＬＳ２内の在室者のうち電源が投入された状態の携帯型ＳＩＰフォン４ａ，４ｂ，４ｃ，・・・を所持している者（以下、携帯所持者）と電源が投入された状態の携帯型ＳＩＰフォン４ａ，４ｂ，４ｃ，・・・を所持していない者（以下、携帯不所持者）との日常の行動パターンに相関があるか否かを判定する。具体的には、情報管理サーバ１０５は、位置情報履歴データベース１５４ｃを参照して、携帯所持者に関する過去のレコードと携帯不所持者に関する過去のレコードとを抽出する。そして、抽出されたレコードに基づいて、携帯所持者と携帯不所持者とが、過去において同じ日時に同じセル空間２１５ａ〜２１５ｊに存在していた確率を算出し、その確率が所定の確率よりも高ければ両者の行動パターンに相関があるものとして両者をグループ化し、その確率が所定の確率よりも低ければ両者の行動パターンに相関がないものと判定する。そして、情報管理サーバ１０５は、相関がないと判定された場合には、処理Ｂを選択することとし、相関があると判定された場合には、処理Ｃを選択することとする。
【０１６２】
以下、空気調和装置２ａ〜２ｊおよび照明装置３ａ〜３ｊについての温湿度制御、換気制御、照度制御、省エネルギー空調制御および省エネルギー照明制御を行う処理Ａ〜Ｄについて説明する。
【０１６３】
（１）処理Ａ
総在室者数と携帯所持者数とが一致する場合には、情報管理サーバ１０５は、セル空間２１５ａ〜２１５ｊのそれぞれに対して、第１実施の形態と同様の温湿度制御、換気制御、照度制御、省エネルギー空調制御および省エネルギー照明制御を実行する。
【０１６４】
すなわち、処理Ａでは、情報管理サーバ１０５は、携帯所持者の存在しているセル空間２１５ａ〜２１５ｊを示す位置情報を導出するとともに、個人情報データベース５４ｄから携帯所持者の運転設定に関する嗜好情報（重み付け係数データや冷房時希望設定温度データ等）を抽出する。そして、情報管理サーバ１０５は、これらの携帯所持者の位置情報および嗜好情報に基づいて、制御装置７が空気調和装置２ａ〜２ｘおよび照明装置３ａ〜３ｔを制御するために必須となる制御パラメータを導出する。
【０１６５】
（２）処理Ｂ
総在室者数が携帯所持者数を上回り、かつ、携帯所持者と携帯不所持者との日常の行動パターンに相関がないと判定された場合には、情報管理サーバ１０５は、携帯不所持者がそれぞれの座席に着席しているものと推定する。すなわち、情報管理サーバ１０５は、居室ＬＳ２の平面座標データ１５４ｆを参照することにより携帯不所持者の座席が配置されているセル空間２１５ａ〜２１５ｊを特定し、その特定されたセル空間２１５ａ〜２１５ｊを示す情報をその携帯不所持者の位置情報とする。そして、情報管理サーバ１０５は、このようにして導出された位置情報により示されるセル空間２１５ａ〜２１５ｊ内にその携帯不所持者が電源が投入された状態の携帯型ＳＩＰフォン４ａ，４ｂ，４ｃ，・・・を所持した状態で存在しているものと仮定した上で、セル空間２１５ａ〜２１５ｊのそれぞれに対して第１実施の形態と同様の温湿度制御、換気制御、照度制御、省エネルギー空調制御および省エネルギー照明制御を実行する。
【０１６６】
すなわち、処理Ｂでは、情報管理サーバ１０５は、携帯所持者および携帯不所持者の双方についてその位置情報および嗜好情報を導出する。そして、情報管理サーバ１０５は、これらの携帯所持者および携帯不所持者の双方についての位置情報および嗜好情報に基づいて、制御装置７が空気調和装置２ａ〜２ｘおよび照明装置３ａ〜３ｔを制御するために必須となる制御パラメータを導出する。
【０１６７】
（３）処理Ｃ
総在室者数が携帯所持者数を上回り、かつ、携帯所持者と携帯不所持者との日常の行動パターンに相関があると判定された場合には、情報管理サーバ１０５は、携帯不所持者が携帯所持者のうち日常の行動パターンの最も相関する者と同じセル空間２１５ａ〜２１５ｊ内に存在しているものと推定する。その他の点については、処理Ｂと同様である。
【０１６８】
（４）処理Ｄ
入退室ゲート２００が正常に動作していない等の理由で総在室者数を正常に取得できないと判定された場合には、情報管理サーバ１０５は、セル空間２１５ａ〜２１５ｊのそれぞれに対して、第１実施の形態と同様にして冷房時設定温度、暖房時設定温度、冷房時設定湿度、暖房時設定湿度、換気量、および設定照度を決定する。続いて、情報管理サーバ１０５は、決定されたこれらの設定値が所定の範囲を超える場合には、これらの設定値をその所定の範囲内の値であってこれらの設定値に最も近い値に補正し、これらの設定値が所定の範囲内に収まっている場合には、これらの設定値をそのまま利用する。その他の点については、第１実施の形態と同様である。
【０１６９】
〔情報管理サーバの動作時の内部構成〕
図２８は、図２７に示されるフローチャートに係る処理および処理Ａ〜Ｄを実行する際の情報管理サーバ１０５の内部構成を示す。
【０１７０】
情報管理サーバ１０５の中央処理部５１は、ハードディスク１５４に記憶されているプログラムを読み出して実行することにより、第１情報導出部１５１Ａ、第２情報導出部１５１Ｂ、第３情報導出部１５１Ｃ、第４情報導出部１５１Ｄ、および制御パラメータ導出部１５１Ｅとして動作する。第１情報導出部１５１Ａは、位置情報導出アプリケーション５４ｅを実行することにより携帯所持者の位置情報を導出するとともに、個人情報データベース５４ｄを参照することにより携帯所持者の嗜好情報を導出する。第２情報導出部１５１Ｂは、在室者情報データベース１５４ｄを参照することにより、総在室者数を導出する。第３情報導出部１５１Ｃは、位置情報履歴データベース１５４ｃおよび在室者情報データベース１５４ｄを参照することにより、携帯不所持者の位置情報を推定して導出する。第４情報導出部１５１Ｄは、個人情報データベース５４ｄおよび在室者情報データベース１５４ｄを参照することにより、携帯不所持者の嗜好情報を導出する。そして、制御パラメータ導出部１５１Ｅは、制御パラメータ導出アプリケーション５４ｇを実行することにより、情報導出部１５１Ａ〜１５１Ｄにより導出された情報に基づいて、制御装置７が空気調和装置２ａ〜２ｘおよび照明装置３ａ〜３ｔを制御するために必須となる制御パラメータを導出する。
【０１７１】
〔変形例〕
（１）
上記第２実施の形態では、従業者の入退室が入退室ゲート２００によって管理されるようになっているが、本発明はこの態様に限定されない。例えば、入退室ゲート２００に代えて又は加えて、従業者の入退室が従業者に割り当てられたパーソナルコンピュータ（以下、ＰＣ）の稼働状態によって管理されるようになっていてもよい。この場合、例えば、各ＰＣは、居室ＬＳ２内に張り巡らされたＬＡＮ１９５に接続される。そして、各ＰＣの稼働状態を示す情報がＬＡＮ１９５を介して情報管理サーバ１０５に伝えられ、ハードディスク１５４に予め記憶されている事務所内の座席表データなどと照合されることにより、従業者の入退室が管理される。
【０１７２】
（２）
上記ステップＳ１０３において、携帯所持者と携帯不所持者とを日常の行動パターンに基づいてグループ化するに際しては、別の方法が採られてもよい。例えば、業務の性質上行動パターンが類似することになると予測される者同士をグループ化して予め個人情報データベース５４ｄに登録しておいてもよい。また、位置情報履歴データベース１５４ｃに蓄積された過去のレコードに基づいてグループ化を行う場合には、種々のデータマイニング手法を応用することが可能である。
【０１７３】
＜第３実施の形態＞
〔セル型空調・照明制御システム〕
このセル型空調・照明制御システム３００は、図２９に示されるように、主に、空気調和装置２ａ，２ｂ，２ｃ，・・・、照明装置３ａ，３ｂ，３ｃ，・・・、携帯型ＳＩＰフォン４ａ，４ｂ，４ｃ，・・・、情報管理サーバ３０５、無線ＬＡＮアクセスポイント１０ａ，１０ｂ，１０ｃ・・・、制御装置７、および入退室カウンタ４００から構成されている。以下、このセル型空調・照明制御システム３００の導入された居室ＬＳ３について説明した後、第１実施の形態および第２実施の形態との差異を中心にして、各構成要素について詳述する。
【０１７４】
（１）居室
本実施の形態に係る居室ＬＳ３は、図３０に示されるように、入退室ゲート２００に代えて入退室カウンタ４００が設置されている点を除いて、第２実施の形態における居室ＬＳ２と同様である。
【０１７５】
（２）情報管理サーバ
本実施の形態に係る情報管理サーバ３０５は、図３１に示されるように、ハードディスク５４，１５４の代替としてハードディスク３５４が設けられている点を除いて、第１実施の形態および第２実施の形態に係る情報管理サーバ５，１０５と同様のハードウェア構成を有している。
【０１７６】
そして、ハードディスク３５４は、図３２に示されるように、在室者管理アプリケーション１５４ａに代えて在室者管理アプリケーション３５４ａがインストールされている点、および、在室者情報データベース１５４ｄが存在していない点を除いて、第２実施の形態と同様である。
【０１７７】
在室者管理アプリケーション３５４ａは、入退室カウンタ４００からＬＡＮ１９５を介して送られてくる情報に基づいて、逐次、居室ＬＳ３内における総在室者数を算出している。
【０１７８】
（３）入退室カウンタ
本実施の形態に係る入退室カウンタ４００は、居室ＬＳ３の出入り口付近に設置されている。この入退室カウンタ４００は、例えば、複数個の人感知センサを備えており、人が居室ＬＳ３の出入り口を通り抜けて入室した事実および退室した事実を検出することができる。したがって、入退室カウンタ４００は、入退室ゲート２００のようにカードリーダに認証カードをかざすといったような特別な動作を入退室者に課することなく、居室ＬＳ３の出入り口を通り抜けた人数をカウントすることができる。但し、入退室カウンタ４００は、入退室ゲート２００と異なり、居室ＬＳ３の出入り口を通り抜けた入退室者の個人識別番号データを特定することはできない。
【０１７９】
また、この入退室カウンタ４００は、ＬＡＮ１９５を介して情報管理サーバ３０５に接続されており、人が居室ＬＳ３の出入り口の通り抜けて入室した事実および退室した事実を検出するたびに、逐次、ＬＡＮ１９５を介して情報管理サーバ３０７に送信する。
【０１８０】
〔セル型空調・照明制御システムの制御内容〕
情報管理サーバ３０５では、図３３に示されるフローチャートに係る処理が所定の間隔（例えば、５分毎）で繰り返される。この処理は、第２実施の形態と同様の処理Ａ，Ｄおよび後述する処理Ｅのうち、いずれの処理によって空気調和装置２ａ〜２ｊおよび照明装置３ａ〜３ｊについての温湿度制御、換気制御、照度制御、省エネルギー空調制御および省エネルギー照明制御を行うのかを選択するための処理である。
【０１８１】
ステップＳ２０１では、情報管理サーバ３０５は、入退室カウンタ４００が正常に動作していない等の理由で入退室者数を正常に取得できない状態になっていないか否かについて判定する。そして、情報管理サーバ３０５は、入退室者数を正常に取得できる状態にあると判定した場合には、フローをステップＳ２０２に進め、人の入退室に関する情報を正常に取得できる状態にないと判定した場合には、処理Ｄを選択することを決定する。
【０１８２】
ステップＳ２０２では、情報管理サーバ３０５は、居室ＬＳ３内に携帯不所持者が存在しているか否かについて判定する。具体的には、情報管理サーバ３０５は、位置情報履歴データベース１５４ｃを参照して、居室ＬＳ３内における携帯所持者数を導出する。そして、情報管理サーバ１０５は、導出された携帯所持者数と在室者管理アプリケーション３５４ａにより管理されている総在室者数とを比較してこれらの値が一致した場合には、処理Ａを選択することとし、総在室者数が携帯所持者数を上回っている場合には、処理Ｅを選択することとする。
【０１８３】
以下、空気調和装置２ａ〜２ｊおよび照明装置３ａ〜３ｊについての温湿度制御、換気制御、照度制御、省エネルギー空調制御および省エネルギー照明制御を行う処理Ｅについて説明する。
【０１８４】
（１）処理Ｅ
総在室者数が携帯所持者数を上回る場合には、情報管理サーバ３０５は、セル空間２１５ａ〜２１５ｊのそれぞれに対して、第１実施の形態と同様にして冷房時設定温度、暖房時設定温度、冷房時設定湿度、暖房時設定湿度、換気量、および設定照度を決定する。続いて、情報管理サーバ３０５は、決定されたこれらの設定値について以下の２段階の補正を検討する。なお、このとき補正の対象となるのは、セル空間２１５ａ〜２１５ｄについての設定値のみである。
【０１８５】
第１段階目の補正では、情報管理サーバ３０５は、総在室者数と携帯所持者数との人数差分の携帯不所持者が事務所内（すなわち、セル空間２１５ａ〜２１５ｄ）に存在しているものと推定する。そして、情報管理サーバ３０５は、セル空間２１５ａ〜２１５ｄ内に存在していると推定された携帯不所持者の人数に応じて、セル空間２１５ａ〜２１５ｄについての冷房時設定温度、暖房時設定温度、冷房時設定湿度および暖房時設定湿度を下げるように補正するとともに、換気量を上げるように補正する。
【０１８６】
次に、第２段階目の補正では、情報管理サーバ３０５は、第１段階目の補正後の設定値が所定の範囲を超える場合には、第１段階目の補正後の設定値をその所定の範囲内の値であって第１段階目の補正後の設定値に最も近い値にさらに補正し、第１段階目の補正後の設定値がその所定の範囲内に収まっている場合には、その第１段階目の補正後の設定値をそのまま利用する。その他の点については、第１実施の形態と同様である。
【０１８７】
〔情報管理サーバの動作時の内部構成〕
図３４は、図３３に示されるフローチャートに係る処理および処理Ａ，Ｄ，Ｅを実行する際の情報管理サーバ３０５の内部構成を示す。
【０１８８】
情報管理サーバ３０５の中央処理部５１は、ハードディスク３５４に記憶されているプログラムを読み出して実行することにより、第１情報導出部３５１Ａ、第２情報導出３５１Ｂ、第３情報導出部３５１Ｃ、および制御パラメータ導出部３５１Ｅとして動作する。第１情報導出部３５１Ａは、位置情報導出アプリケーション５４ｅを実行することにより携帯所持者の位置情報を導出するとともに、個人情報データベース５４ｄを参照することにより携帯所持者の嗜好情報を導出する。第２情報導出部３５１Ｂは、在室者管理アプリケーション３５４ａから総在室者数を取得する。第３情報導出部３５１Ｃは、携帯不所持者の位置情報を推定して導出する。そして、制御パラメータ導出部３５１Ｅは、制御パラメータ導出アプリケーション５４ｇを実行することにより、情報導出部３５１Ａ〜３５１Ｃにより導出された情報に基づいて、制御装置７が空気調和装置２ａ〜２ｘおよび照明装置３ａ〜３ｔを制御するために必須となる制御パラメータを導出する。
【０１８９】
〔変形例〕
上記第３実施の形態では、入退室カウンタ４００により居室ＬＳ３内の総在室者数が把握されるようになっているが、本発明はこの態様に限定されない。例えば、入退室カウンタ４００に代えて又は加えて、居室ＬＳ３の出入り口に設置されたカメラにより総在室者数が把握されるようになっていてもよい。
【０１９０】
＜その他の実施の形態＞
（Ａ）
先の実施の形態に係るセル型空調・照明制御システム１，１００，３００では、天井埋設型のカセット式空気調和装置２ａ〜２ｘが採用されたが、これに代えて、天井吊下型の空気調和装置が採用されてもかまわない。
【０１９１】
（Ｂ）
先の実施の形態に係るセル型空調・照明制御システム１，１００，３００では、情報管理サーバ５，１０５，３０５と制御装置７とが別々に設けられていたが、これらは物理的に又は機能的に一体とされてもかまわない。
【０１９２】
（Ｃ）
先の実施の形態に係るセル型空調・照明制御システム１，１００，３００では、電波強度を利用して携帯型ＳＩＰフォン４ａ，４ｂ，４ｃ，・・・の位置検出を行ったが、これに代えて、ＴＤＯＡ（Time Difference Of Arrival）測定に基づく三辺測量方式を利用して携帯型ＳＩＰフォン４ａ，４ｂ，４ｃ，・・・の位置検出を行ってもよい。
【０１９３】
（Ｄ）
先の実施の形態に係るセル型空調・照明制御システム１，１００，３００では、ＶｏＩＰシステムを利用して人が存在するセル空間１５ａ〜１５ｘ，２１５ａ〜２１５ｊを特定したが、これに代えて、カメラ映像を利用して人が存在するセル空間を特定するようにしてもよい。なお、かかる場合、セル空間は、カメラからの撮影画像を分割しておくことによって生成される。
【０１９４】
（Ｅ）
先の実施の形態に係るセル型空調・照明制御システム１，１００，３００では、ＶｏＩＰシステムを利用して人が存在するセル空間１５ａ〜１５ｘ，２１５ａ〜２１５ｊを特定したが、これに代えて、人検知センサを利用して人が存在するセル空間を特定するようにしてもよい。かかる場合、セル空間は、人検知センサなどの検知範囲を調節することによって生成される。
【０１９５】
（Ｆ）
先の実施の形態に係るセル型空調・照明制御システム１，１００，３００では、携帯型ＳＩＰフォン４ａ，４ｂ，４ｃ，・・・が存在していたセル空間１５ａ〜１５ｘ，２１５ａ〜２１５ｊにおいて携帯型ＳＩＰフォン４ａ，４ｂ，４ｃ，・・・の存在が検出されなくなり、携帯型ＳＩＰフォン４ａ，４ｂ，４ｃ，・・・の存在が検出されなくなったセル空間１５ａ〜１５ｘ，２１５ａ〜２１５ｊに隣接するセル空間１５ａ〜１５ｘ，２１５ａ〜２１５ｊに対応する空気調和装置２ａ〜２ｘの運転モードが冷房モードでも暖房モードでもない場合、あるいは運転モードの中に冷房モードと暖房モードとの両方が含まれている場合、携帯型ＳＩＰフォン４ａ，４ｂ，４ｃ，・・・の存在が検出されなくなったセル空間１５ａ〜１５ｘ，２１５ａ〜２１５ｊに対応する空気調和装置２ａ〜２ｘをアイドリングモードとした。しかし、かかる場合、圧縮機を停止させてもかまわない。
【０１９６】
（Ｇ）
先の実施の形態に係るセル型空調・照明制御システム１，１００，３００では、携帯型ＳＩＰフォン４ａ，４ｂ，４ｃ，・・・と無線ＬＡＮアクセスポイント１０ａ，１０ｂ，１０ｃ・・・とを利用して個人識別番号データを情報管理サーバ５，１０５，３０５に送信したが、これに代えて、ＲＦＩＤタグとタグリーダとを利用して個人識別番号データを情報管理サーバ５，１０５，３０５に送信してもかまわない。
【０１９７】
（Ｈ）
先の実施の形態に係るセル型空調・照明制御システム１，１００，３００では、携帯型ＳＩＰフォン４ａ，４ｂ，４ｃ，・・・が個人識別番号データを常時発信していたが、個人情報データベース５４ｄをなくして、それぞれの個人嗜好データを携帯型ＳＩＰフォンに記憶させて個人識別番号データとともに個人嗜好情報を常時発信させるようにしてもよい。
【０１９８】
（Ｉ）
先の実施の形態に係るセル型空調・照明制御システム１，１００，３００では、セル空間１５ａ〜１５ｘ，２１５ａ〜２１５ｊに複数の携帯型ＳＩＰフォン４ａ，４ｂ，４ｃ，・・・が存在している場合、情報管理サーバ５，１０５，３０５が、重み付け係数を利用して空気調和装置２ａ〜２ｘの設定温度や照明装置３ａ〜３ｔの照度を決定した。しかし、情報管理サーバ５，１０５，３０５が単純平均値を利用して空気調和装置２ａ〜２ｘの設定温度や照明装置３ａ〜３ｔの照度を決定するようにしてもかまわない。
【０１９９】
（Ｊ）
先の実施の形態に係るセル型空調・照明制御システム１，１００，３００では、セル空間１５ａ〜１５ｘ，２１５ａ〜２１５ｊに複数の携帯型ＳＩＰフォン４ａ，４ｂ，４ｃ，・・・が存在している場合、情報管理サーバ５，１０５，３０５が、重み付け係数を利用して空気調和装置２ａ〜２ｘの設定温度や照明装置３ａ〜３ｔの照度を決定した。しかし、セル空間１５ａ〜１５ｘ，２１５ａ〜２１５ｊに存在している携帯型ＳＩＰフォン４ａ，４ｂ，４ｃ，・・・の滞在時間を計測して、セル空間１５ａ〜１５ｘ，２１５ａ〜２１５ｊの滞在時間の長い携帯型ＳＩＰフォン４ａ，４ｂ，４ｃ，・・・に対応する個人嗜好データに大きな重み付け係数を与え、その重み付けを利用して空気調和装置２ａ〜２ｘの設定温度や照明装置３ａ〜３ｔの照度を決定してかまわない。
【０２００】
（Ｋ）
先の実施の形態に係るセル型空調・照明制御システム１，１００，３００では、携帯型ＳＩＰフォン４ａ，４ｂ，４ｃ，・・・が存在していたセル空間１５ａ〜１５ｘ，２１５ａ〜２１５ｊにおいて携帯型ＳＩＰフォン４ａ，４ｂ，４ｃ，・・・の存在が検出されなくなると、携帯型ＳＩＰフォン４ａ，４ｂ，４ｃ，・・・の存在が検出されなくなったセル空間１５ａ〜１５ｘ，２１５ａ〜２１５ｊに隣接するセル空間１５ａ〜１５ｘ，２１５ａ〜２１５ｊに対応する空気調和装置２ａ〜２ｘの運転モードを参照して、携帯型ＳＩＰフォン４ａ，４ｂ，４ｃ，・・・の存在が検出されなくなったセル空間１５ａ〜１５ｘ，２１５ａ〜２１５ｊに対応する空気調和装置２ａ〜２ｘをアイドリングモードとするか、セービング冷房モードとするか、セービング暖房モードとするかを決定した。しかし、携帯型ＳＩＰフォン４ａ，４ｂ，４ｃ，・・・の存在が検出されなくなったセル空間１５ａ〜１５ｘ，２１５ａ〜２１５ｊ（以下、このセル空間を第２セル空間という）の中心と、携帯型ＳＩＰフォン４ａ，４ｂ，４ｃ，・・・の存在が検出されているセル空間１５ａ〜１５ｘ，２１５ａ〜２１５ｊ（以下、このセル空間を第１セル空間という）の中心との距離を出力し、その距離に基づいて第２セル空間に対応する空気調和装置２ａ〜２ｘをアイドリングモードとするか、セービング冷房モードとするか、セービング暖房モードとするかを決定してもよい。また、第２セル空間１５ａ〜１５ｘ，２１５ａ〜２１５ｊの中心と、携帯型ＳＩＰフォン４ａ，４ｂ，４ｃ，・・・との距離を出力し、その距離に基づいて第２セル空間に対応する空気調和装置２ａ〜２ｘをアイドリングモードとするか、セービング冷房モードとするか、セービング暖房モードとするかを決定してもよい。また、情報管理サーバ５，１０５，３０５上で空気調和装置２ａ〜２ｘの設置位置が平面座標化されており、その座標と空気調和装置２ａ〜２ｘのアドレスデータとが関連付けられている場合には、第２セル空間１５ａ〜１５ｘ，２１５ａ〜２１５ｊに対応する空気調和装置２ａ〜２ｘと、携帯型ＳＩＰフォン４ａ，４ｂ，４ｃ，・・・との距離を出力し、その距離に基づいて第２セル空間に対応する空気調和装置２ａ〜２ｘをアイドリングモードとするか、セービング冷房モードとするか、セービング暖房モードとするかを決定してもよい。さらに、この際、その距離に基づいて圧縮機の運転周波数を決定してもよい。例えば、第１セル空間から遠い第２セル空間に対応する空気調和装置２ａ〜２ｘほど、圧縮機の運転周波数を下げる制御することが考えられる。また、圧縮機の運転周波数を下げる割合を、人の標準移動速度や空気調和装置２ａ〜２ｘの起動速度や反応速度などに基づいて決定してもよい。このようにすれば、人が移動している間であっても人に快適な空間を提供し続けることが可能となる。
【０２０１】
（Ｌ）
先の実施の形態に係るセル型空調・照明制御システム１，１００，３００では、携帯型ＳＩＰフォン４ａ，４ｂ，４ｃ，・・・が存在していたセル空間１５ａ〜１５ｘ，２１５ａ〜２１５ｊにおいて携帯型ＳＩＰフォン４ａ，４ｂ，４ｃ，・・・の存在が検出されなくなると、携帯型ＳＩＰフォン４ａ，４ｂ，４ｃ，・・・の存在が検出されなくなったセル空間１５ａ〜１５ｘ，２１５ａ〜２１５ｊに隣接するセル空間１５ａ〜１５ｘ，２１５ａ〜２１５ｊに対応する照明装置３ａ〜３ｔの点灯／消灯状態を参照して、携帯型ＳＩＰフォン４ａ，４ｂ，４ｃ，・・・の存在が検出されなくなったセル空間１５ａ〜１５ｘ，２１５ａ〜２１５ｊに対応する照明装置３ａ〜３ｔをセービング照明モードとするか、消灯するかを決定した。しかし、携帯型ＳＩＰフォン４ａ，４ｂ，４ｃ，・・・の存在が検出されなくなったセル空間１５ａ〜１５ｘ，２１５ａ〜２１５ｊ（以下、このセル空間を第２セル空間という）の中心と、携帯型ＳＩＰフォン４ａ，４ｂ，４ｃ，・・・の存在が検出されているセル空間１５ａ〜１５ｘ，２１５ａ〜２１５ｊ（以下、このセル空間を第１セル空間という）の中心との距離を出力し、その距離に基づいて第２セル空間に対応する照明装置３ａ〜３ｔをセービング照明モードとするか、消灯するかを決定してもよい。また、第２セル空間１５ａ〜１５ｘ，２１５ａ〜２１５ｊの中心と、携帯型ＳＩＰフォン４ａ，４ｂ，４ｃ，・・・との距離を出力し、その距離に基づいて第２セル空間に対応する照明装置３ａ〜３ｔをセービング照明モードとするか、消灯するかを決定してもよい。また、情報管理サーバ５，１０５，３０５上で照明装置３ａ〜３ｔの設置位置が平面座標化されており、その座標と照明装置３ａ〜３ｔのアドレスデータとが関連付けられている場合には、第２セル空間１５ａ〜１５ｘ，２１５ａ〜２１５ｊに対応する照明装置３ａ〜３ｔと、携帯型ＳＩＰフォン４ａ，４ｂ，４ｃ，・・・との距離を出力し、その距離に基づいて第２セル空間に対応する照明装置３ａ〜３ｔをセービング照明モードとするか、消灯するかを決定してもよい。さらに、この際、その距離に基づいて照明装置３ａ〜３ｔの照度を決定してもよい。例えば、第１セル空間から遠い第２セル空間に対応する照明装置３ａ〜３ｔほど、照度を下げる制御することが考えられる。また、照度を下げる割合を、人の標準移動速度や照明装置３ａ〜３ｔの起動速度や反応速度などに基づいて決定してもよい。このようにすれば、人が移動している間であっても人に快適な空間を提供し続けることが可能となる。
【０２０２】
（Ｍ）
先の実施の形態に係るセル型空調・照明制御システム１，１００，３００では、空気調和装置２ａ〜２ｘおよび照明装置３ａ〜３ｔが第２通信線９２および第１通信線９１を介して制御装置７の空気調和装置用コネクタ８０、および照明装置用コネクタ８１に接続されていたが、空気調和装置２ａ〜２ｘおよび照明装置３ａ〜３ｔがＬＡＮ規格に対応しておりＬＡＮケーブルコネクタを有している場合には、これらの設備機器２ａ〜２ｘ，３ａ〜３ｔは、イーサネット（登録商標）ケーブルおよびルータ等を介して制御装置７のＬＡＮケーブル用コネクタ７９に接続されてもよい。かかる場合、アドレスデータとして、ＩＰアドレスやＭＡＣアドレス等が利用されてもよい。
【０２０３】
（Ｎ）
先の実施の形態に係るセル型空調・照明制御システム１，１００，３００では、携帯型ＳＩＰフォン４ａ，４ｂ，４ｃ，・・・は、個人識別番号データを常時発信する役目を担っていたが、これに加えて、携帯型ＳＩＰフォン４ａ，４ｂ，４ｃ，・・・が、無線ＬＡＮアクセスポイント１０ａ，１０ｂ，１０ｃ・・・を介して情報管理サーバ５，１０５，３０５と無線通信し、図１９に示されるように、情報管理サーバ５，１０５，３０５から送信される各種情報をディスプレイ４１上に表示するようにしてもよい。
【０２０４】
このディスプレイ４１上に表示される情報としては、例えば、図１９に示されるように、その携帯型ＳＩＰフォン４ａ，４ｂ，４ｃ，・・・が存在しているセル空間１５ａ〜１５ｘ，２１５ａ〜２１５ｊの場所、空気調和装置２ａ〜２ｘや照明装置３ａ〜３ｔの識別番号、空気調和装置２ａ〜２ｘの運転モード、空気調和装置２ａ〜２ｘの設定温度、セル空間１５ａ〜１５において制御を共有している人の数などが挙げられる。また、その他、単一のセル空間１５ａ〜１５ｘ，２１５ａ〜２１５ｊに複数の携帯型ＳＩＰフォン４ａ，４ｂ，４ｃ，・・・が存在している場合、温湿度制御において設定温度を決定するのに利用される複数の希望設定温度データおよび重み付け係数ならびにその最大値や最小値などをディスプレイ４１上に表示することも考えられる。
【０２０５】
なお、ディスプレイ上４１に「携帯型ＳＩＰフォン４ａ，４ｂ，４ｃ，・・・が存在しているセル空間１５ａ〜１５ｘ，２１５ａ〜２１５ｊの場所」を表示するためには、設備対応関係データベース５４ｈ上でセル空間１５ａ〜１５ｘ，２１５ａ〜２１５ｊに予め名称を付与しておけばよい。また、ディスプレイ上４１に「空気調和装置２ａ〜２ｘや照明装置３ａ〜３ｔの識別番号」を表示するためには、設備対応関係データベース５４ｈで空気調和装置２ａ〜２ｘや照明装置３ａ〜３ｔに予め識別番号を付与しておけばよい。なお、かかる場合、各空気調和装置２ａ〜２ｘおよび各照明装置３ａ〜３ｔに対応する識別番号ラベルを貼り付けておけば、携帯型ＳＩＰフォン４ａ，４ｂ，４ｃ，・・・の携帯者は、どの空気調和装置２ａ〜２ｘあるいは照明装置３ａ〜３ｔが自身のために動作しているのかを特定することができ、便利である。また、ディスプレイ上に「空気調和装置２ａ〜２ｘの運転モード」を表示するためには、温湿度制御において情報管理サーバ５，１０５，３０５が制御装置７から受信した運転モードデータを携帯型ＳＩＰフォン４ａ，４ｂ，４ｃ，・・・に送信するようにすればよい。また、ディスプレイ上に「空気調和装置２ａ〜２ｘの設定温度」を表示するためには、温湿度制御において情報管理サーバ５，１０５，３０５が制御装置７に送信する設定温度データを携帯型ＳＩＰフォン４ａ，４ｂ，４ｃ，・・・にも送信するようにすればよい。また、ディスプレイ上に「セル空間１５ａ〜１５において制御を共有している人の数」を表示するためには、情報管理サーバ５，１０５，３０５において、演算部５１Ｂが位置情報導出アプリケーション５４ｅを利用して各セル空間１５ａ〜１５ｘ，２１５ａ〜２１５ｊに存在する携帯型ＳＩＰフォン４ａ，４ｂ，４ｃ，・・・の数をカウントできるように設計しておけばよい。また、ディスプレイ上に「温湿度制御において設定温度を決定するのに利用される複数の希望設定温度データおよび重み付け係数ならびにその最大値や最小値など」を表示するためには、温湿度制御時において演算するに当たって個人情報データベース５４ｄから抽出される各種情報を携帯型ＳＩＰフォン４ａ，４ｂ，４ｃ，・・・に送信するようにしておけばよい。
【０２０６】
（Ｏ）
先の実施の形態に係るセル型空調・照明制御システム１，１００，３００では、携帯型ＳＩＰフォン４ａ，４ｂ，４ｃ，・・・は、個人識別番号データを常時発信する役目を担っていたが、これに加えて、携帯型ＳＩＰフォン４ａ，４ｂ，４ｃ，・・・の携帯者が、携帯型ＳＩＰフォン４ａ，４ｂ，４ｃ，・・・の入力用ボタン４２を用いて、個人情報データベース５４ｄに登録されている各種情報を変更できるようにしてもよい。なお、かかる場合、情報管理サーバ５，１０５，３０５にＷＷＷサーバ機能などを付与する必要がある。この際、携帯型ＳＩＰフォン４ａ，４ｂ，４ｃ，・・・の携帯者が、携帯型ＳＩＰフォン４ａ，４ｂ，４ｃ，・・・の入力用ボタン４２を用いて、個人情報データベース５４ｄに登録されている各種情報を直接書き換えできるようにしてもよいし、図２０に示されるように、個人情報データベース５４ｄに登録されている各種情報を直接書き換えるのではなく、ディスプレイ４１上で一時変更オフセット値を入力することができるようにしてもよい（変更時の冷房時希望設定温度は、登録済みの冷房時希望設定温度に一時変更オフセット値を足した値になる）。なお、後者の場合、携帯型ＳＩＰフォン４ａ，４ｂ，４ｃ，・・・のディスプレイ上には、変更不可能な冷房時希望設定温度データと、一時変更オフセット値の入力用テキストボックスとが表示されることになる。
【０２０７】
さらに、図２０に示されるように、携帯型ＳＩＰフォン４ａ，４ｂ，４ｃ，・・・のディスプレイ上で、個人情報データベース５４ｄに登録されている各種情報の変更持続時間を入力することができるようにしてもよい。なお、本実施の形態において、変更持続時間は、演算部５１Ｂがソフトウェアタイマーアプリケーション５４ｉを利用してカウントダウンする。そして、変更持続時間経過後は、一時変更オフセット値が０に戻る。
【０２０８】
また、情報の変更に際して、入力データの制限範囲を規定しておいてもよい。例えば、一時変更オフセット値は−３から０までの値しか受け付けず、変更持続時間は０から６００まで受け付けないといった具合である。
【０２０９】
（Ｐ）
先の実施の形態に係るセル型空調・照明制御システム１，１００，３００において、制御装置７や情報管理サーバ５，１０５，３０５に空気調和装置２ａ〜２ｘに対する以下の制御機能が組み込まれていてもよい。
【０２１０】
すなわち、１のセル空間１５ａ〜１５ｘ，２１５ａ〜２１５ｊ内の在室者数が急激に増加した（所定の時間当たりに所定以上の人数が入ってきた）と判断された場合には、空気調和装置２ａ〜２ｘを強制的にサーモＯＮ運転する。この場合、在室者から発される熱等により室温が急激に上昇することが抑制され、在室者に不快感を感じさせることなく室内を快適な温度に保つことができる。
【０２１１】
また、１のセル空間１５ａ〜１５ｘ，２１５ａ〜２１５ｊ内に最初の１人が入ってきた際には、直ちに空気調和装置２ａ〜２ｘの運転を開始してそのセル空間１５ａ〜１５ｘ，２１５ａ〜２１５ｊを予冷・予熱する。これにより、在室者の不快感が抑制される。
【０２１２】
（Ｑ）
先の実施の形態に係るセル型空調・照明制御システム１，１００，３００において、制御装置７や情報管理サーバ５，１０５，３０５に空気調和装置２ａ〜２ｘに対する以下の制御機能が組み込まれていてもよい。
【０２１３】
すなわち、１のセル空間１５ａ〜１５ｘ，２１５ａ〜２１５ｊ内の在室者数が所定の人数よりも少ないと判断される場合には、そのセル空間１５ａ〜１５ｘ，２１５ａ〜２１５ｊに対応する空気調和装置２ａ〜２ｘの運転を停止することにより、空気調和装置２ａ〜２ｘの運転台数を減らす間引き運転を行う。これにより、セル空間１５ａ〜１５ｘ，２１５ａ〜２１５ｊの負荷の低下に伴って空気調和装置２ａ〜２ｘが能力オーバーとなり、その結果、空気調和装置２ａ〜２ｘの圧縮機が発停を繰り返すといった事態を防止し、消費電力を抑制することができる。この間引き運転により停止される空気調和装置２ａ〜２ｘは、在室者の位置情報に基づいて決定される。特に、セル空間１５ａ〜１５ｘ，２１５ａ〜２１５ｊ内において在室者が偏在している場合には、在室者のいない又は少ないセル空間１５ａ〜１５ｘ，２１５ａ〜２１５ｊに対応する空気調和装置２ａ〜２ｘの運転が停止されることになる。
【産業上の利用可能性】
【０２１４】
本発明に係る設備制御システムは、省エネルギー効果を維持しつつ居室空間に存在する人間の快適性を高めるという特徴を有し、オフィスに設置する空調・照明制御システムなどとして有用である。
【図面の簡単な説明】
【０２１５】
【図１】第１実施の形態に係る空調・照明制御システムのブロック図である。
【図２】第１実施の形態に係る空調・照明制御システムに採用される情報管理サーバのブロック図である。
【図３】第１実施の形態に係る空調・照明制御システムに採用される情報管理サーバを構成するハードディスクに記憶される情報のイメージ図である。
【図４】本発明に係る空調・照明制御システムに採用される情報管理サーバを構成するハードディスクに記憶される個人情報データベースのイメージ図である。
【図５】本発明に係る空調・照明制御システムに採用される情報管理サーバにおける制御信号およびデータの流れを表す図である。
【図６】本発明に係る空調・照明制御システムに採用される制御装置のブロック図である。
【図７】本発明に係る空調・照明制御システムに採用される制御装置における制御信号およびデータの流れを表す図である。
【図８】第１実施の形態に係る空調・照明制御システムに採用される空気調和装置および照明装置の配置図である。
【図９】本発明に係る空調・照明制御システムにおいて実行される温湿度制御の流れを表すフローチャートである。
【図１０】本発明に係る空調・照明制御システムにおいて、複数の携帯型ＳＩＰフォンが１つのセル空間に存在する場合に実行される温湿度制御の流れを表すフローチャートである。
【図１１】本発明に係る空調・照明制御システムにおいて実行される換気制御の流れを表すフローチャートである。
【図１２】本発明に係る空調・照明制御システムにおいて実行される照度制御の流れを表すフローチャートである。
【図１３】本発明に係る空調・照明制御システムにおいて、複数の携帯型ＳＩＰフォンが１つのセル空間に存在する場合に実行される照度制御の流れを表すフローチャートである。
【図１４】本発明に係る空調・照明制御システムにおいて実行される省エネルギー空調制御の流れを表すフローチャートである。
【図１５】本発明に係る空調・照明制御システムにおいて実行される省エネルギー空調制御の流れを表すフローチャートである。
【図１６】本発明に係る空調・照明制御システムにおいて実行される省エネルギー空調制御の流れを表すフローチャートである。
【図１７】本発明に係る空調・照明制御システムにおいて実行される省エネルギー空調制御の流れを表すフローチャートである。
【図１８】本発明に係る空調・照明制御システムにおいて実行される省エネルギー照明制御の流れを表すフローチャートである。
【図１９】本発明に係る空調・照明制御システムにおいて利用される携帯型ＳＩＰフォンを示す図である。
【図２０】その他の実施の形態（Ｏ）に係る空調・照明制御システムで利用される個人情報データベースのイメージ図である。
【図２１】第２実施の形態に係る空調・照明制御システムのブロック図である。
【図２２】第２実施の形態に係る空調・照明制御システムに採用される情報管理サーバのブロック図である。
【図２３】第２実施の形態に係る空調・照明制御システムに採用される情報管理サーバを構成するハードディスクに記憶される情報のイメージ図である。
【図２４】第２実施の形態に係る空調・照明制御システムに採用される情報管理サーバを構成するハードディスクに記憶される在室者情報データベースのイメージ図である。
【図２５】第２実施の形態および第３実施の形態に係る空調・照明制御システムに採用される情報管理サーバを構成するハードディスクに記憶される位置情報履歴データベースのイメージ図である。
【図２６】第２実施の形態に係る空調・照明制御システムの導入された居室の構成を示す図である。
【図２７】第２実施の形態に係る空気調和装置および照明装置についての運転制御処理の種類を選択する処理の流れを表すフローチャートである。
【図２８】第２実施の形態に係る空調・照明制御システムに採用される情報管理サーバの動作時の内部構成を示す図。
【図２９】第３実施の形態に係る空調・照明制御システムのブロック図である。
【図３０】第３実施の形態に係る空調・照明制御システムの導入された居室の構成を示す図である。
【図３１】第３実施の形態に係る空調・照明制御システムに採用される情報管理サーバのブロック図である。
【図３２】第３実施の形態に係る空調・照明制御システムに採用される情報管理サーバを構成するハードディスクに記憶される情報のイメージ図である。
【図３３】第３実施の形態に係る空気調和装置および照明装置についての運転制御処理の種類を選択する処理の流れを表すフローチャートである。
【図３４】第３実施の形態に係る空調・照明制御システムに採用される情報管理サーバの動作時の内部構成を示す図。
【符号の説明】
【０２１６】
１，１００，３００      空調・照明制御システム（設備制御システム）
２ａ〜２ｘ      空気調和装置（設備機器）
３ａ〜３ｔ      照明装置（設備機器）
４ａ，４ｂ，４ｃ，・・・      携帯型ＳＩＰフォン（発信器）
１０ａ，１０ｂ，１０ｃ・・・      無線ＬＡＮアクセスポイント（受信器）
７      制御装置（設備制御部）
１５ａ〜１５ｘ，２１５ａ〜２１５ｊ      セル空間（単位空間）
４１      ディスプレイ（第１情報表示部、第２情報表示部）
４２      入力用ボタン（情報入力部、変更時間規定部）
５１Ｂ      演算部（存否判定部、情報導出部、カウント部）
５４，１５４,３５４      ハードディスク（第１情報保持部、情報関連テーブル保持部）
１５１Ａ，３５１Ａ      第１情報導出部（第１情報導出手段）
１５１Ｂ，３５１Ｂ      第２情報導出部（第２情報導出手段）
１５１Ｃ，３５１Ｃ      第３情報導出部（第３情報導出手段）
１５１Ｄ      第４情報導出部（第４情報導出手段）
１５１Ｅ，３５１Ｅ      制御パラメータ導出部（設備制御手段）
ＬＳ，ＬＳ２，ＬＳ３      居室（居室空間）
【図１】
0004453679.tif 000002
【図２】
0004453679.tif 000003
【図３】
0004453679.tif 000004
【図４】
0004453679.tif 000005
【図５】
0004453679.tif 000006
【図６】
0004453679.tif 000007
【図７】
0004453679.tif 000008
【図８】
0004453679.tif 000009
【図９】
0004453679.tif 000010
【図１０】
0004453679.tif 000011
【図１１】
0004453679.tif 000012
【図１２】
0004453679.tif 000013
【図１３】
0004453679.tif 000014
【図１４】
0004453679.tif 000015
【図１５】
0004453679.tif 000016
【図１６】
0004453679.tif 000017
【図１７】
0004453679.tif 000018
【図１８】
0004453679.tif 000019
【図１９】
0004453679.tif 000020
【図２０】
0004453679.tif 000021
【図２１】
0004453679.tif 000022
【図２２】
0004453679.tif 000023
【図２３】
0004453679.tif 000024
【図２４】
0004453679.tif 000025
【図２５】
0004453679.tif 000026
【図２６】
0004453679.tif 000027
【図２７】
0004453679.tif 000028
【図２８】
0004453679.tif 000029
【図２９】
0004453679.tif 000030
【図３０】
0004453679.tif 000031
【図３１】
0004453679.tif 000032
【図３２】
0004453679.tif 000033
【図３３】
0004453679.tif 000034
【図３４】
0004453679.tif 000035